【誤訳訂正書】
【提出日】平成13年12月5日(2001.12.5)
【誤訳訂正１】
【訂正対象書類名】明細書
【訂正対象項目名】全文
【訂正方法】変更
【訂正の内容】
【書類名】明細書
【発明の名称】マイクロアレイにおける遺伝子の発現のための定量アッセイ
【特許請求の範囲】
【請求項１】マイクロアレイ、ノーザンブロットまたはサザンブロットにおけるＤＮＡハイブリダイゼーションを検出するための方法であって、該方法は以下の工程：
ジゴキシゲニン標識された遺伝子特異的プライマーを、標的核酸分子に加える工程、
該プライマーを該標的核酸分子と反応させて、標識された標的核酸分子を生成する工程、
該標識された標的核酸分子と、色素原基質を切断する酵素と結合体化された抗ジゴキシゲニン抗体とをインキュベートする工程、および
該標的核酸分子と該抗体との反応を、比色、色素原、または化学発光のアッセイのための検出手段を用いて検出する工程、
を包含する、方法。
【請求項２】前記核酸分子がＤＮＡである、請求項１に記載の方法。
【請求項３】前記標的ＤＮＡがマイクロアレイ上にあり、そしてｐｇ量で存在する、請求項１に記載の方法。
【請求項４】前記標的ＤＮＡがノーザンブロット上にある、請求項１に記載の方法。
【請求項５】前記標的ＤＮＡがサザンブロット上にある、請求項１に記載の方法。
【請求項６】前記プライマーは、前記標的核酸分子と反応され、該核酸分子はＤＮＡであり、そして該標的ＤＮＡは、ポリメラーゼ連鎖反応において増幅される、請求項１に記載の方法。
【請求項７】前記検出手段が、化学発光基質である３−（４−メトキシスピロ｛１，２−ジオキセタン−３，２’−（５’−クロロ）トリシクロ［３．３．１．１３，７］デカン｝−４−イル）フェニルリン酸二ナトリウム−ＣＳＰＤである、請求項１に記載の方法。
【請求項８】さらに、抗体インキュベーション後に、５−ブロモ−４−クロロ−３−インドリルホスフェート、トルイジン塩（ＢＣＩＰ）およびニトロブルーテトラゾリウムクロリド（ＮＢＴ）を用いて検出緩衝液中で染色する工程を包含する、請求項１に記載の方法。
【請求項９】マイクロアレイフォーマットにおけるプローブと標的ＤＮＡとの間のハイブリダイゼーション反応の分解能を増強するための方法であって、該方法は以下の工程：
試験サンプルを該マイクロアレイ中に２００試験スポット未満の量で提供する工程、
を包含する、方法。
【請求項１０】少なくとも３つのスポットが前記各試験サンプルについて提供される、請求項８に記載の方法。
【請求項１１】前記３つのスポットは、前記マイクロアレイ中にランダムに配置される、請求項１０に記載の方法。
【請求項１２】少なくとも９つのハウスキーピング遺伝子がデータの正規化のために提供される、請求項９に記載の方法。
【請求項１３】さらに、他の試験サンプルおよびハウスキーピング遺伝子のサイズに比較して、各試験サンプルについての検出反応のサイズを正規化するための手段を提供する工程、
を包含する、請求項１２に記載の方法。
【請求項１４】前記各試験サンプル検出反応は、同じ直径のサークルへと適合される、請求項１３に記載の方法。
【請求項１５】前記適合工程は、各試験サンプルについてのデータを測定および正規化するコンピュータによって実施される、請求項１４に記載の方法。
【請求項１６】前記データは、さらに、前記ハウスキーピング遺伝子の各々についての検出反応に比較して正規化される、請求項１５に記載の方法。
【請求項１７】請求項１に記載の方法において使用するためのキットであって、以下：
ジゴキシゲニンおよび核酸プライマーを標識する試薬を備える、キット。
【請求項１８】さらに、比色基質、色素原基質および化学発光基質からなる群より選択される、基質を備える、請求項１７に記載のキット。
【請求項１９】請求項９に記載の方法に使用するための情報科学システム。
【発明の詳細な説明】
【０００１】
（発明の背景）
米国政府は、米国国立老化研究所（Ｕ．Ｓ．  Ｎａｔｉｏｎａｌ  Ｉｎｓｔｉｔｕｔｅ  ｏｎ  Ａｇｉｎｇ）からＥｕｇｅｎｉａ  Ｗａｎｇに、そして米国国防総省の国防高等研究計画局（Ｄｅｆｅｎｓｅ  Ａｄｖａｎｃｅｄ  Ｒｅｓｅａｒｃｈ  Ｐｒｏｊｅｃｔｓ  Ａｇｅｎｃｙ）からＥ．Ｗａｎｇに与えられた、助成金Ｒ０１ＡＧ０９２７８によって、本発明における権利を有する。
【０００２】
本発明は、例えばコンビナトリアルライブラリにおけるマイクロアレイでの遺伝子の発現の定量的ならびに定性的なレベルを検出するための方法の領域にある。
【０００３】
マイクロアレイ技術は、ＤＮＡおよびＲＮＡの変異を系統的に調査する方法を生物学者に提供する。最近まで、科学者が利用できる唯一のツールは、差次的発現をアッセイするための、ノーザンブロット分析、ＲＮアーゼ保護、またはＲＴ−ＰＣＲであった。これらの技術は、一度に扱う遺伝子が少数に限られている。対照的に、マイクロアレイ技術は、多数の遺伝子発現を同時に包括的に観察する手段を提供し、これは、非常な注目を引き、分子生物学の研究および臨床的診断の両方の標準的なツールとなっている。発現プロファイリング実験の最初の工程なので、アレイイメージの分析および定量は、それに続くデータマイニング（ｍｉｎｉｎｇ）および探査の精度に対して、重大な影響を及ぼす。
【０００４】
マイクロアレイは、典型的には、ナノモル（ピコグラム未満）量の個別の遺伝子、ｃＤＮＡ、または発現配列タグ（「ＥＳＴ」）（部分遺伝子配列）を、ニトロセルロースまたはケイ素プレート、あるいはフォトリソグラフィーで調製されたガラス基板のような基板上の、別個の部位に含む。およそ一千のＥＳＴを含むマイクロアレイが、Ａｆｆｙｍａｔｒｉｘから市販されている。Ｃｌｏｎｔｅｃｈは、腫瘍の研究のような特定の研究領域、あるいは広範囲な適用のために設計された、ＡｆｆｉｍａｔｒｉｘのＥＳＴの約半分の数の遺伝子特異的ｃＤＮＡ断片のアレイを販売している。
【０００５】
いったん作製したら、アレイを、遺伝子特異的プライマー混合物を用いた標準的な技術を使用して、ｃＤＮＡプローブにハイブリダイズする。分析される核酸−標的−を単離し、増幅し、そして、典型的には蛍光レポーター基、放射標識またはリン標識プローブで、標識する。ハイブリダイゼーション反応が完了した後、アレイをスキャナに挿入し、ここでハイブリダイゼーションのパターンを検出する。ハイブリダイゼーションデータを、標的（これはそのとき、プローブアレイに結合している）中に既に取り込まれたレポーター基から発せられる光として収集する。標的に完全にマッチしたプローブは、ミスマッチを有するものよりも強いシグナルを生成する。アレイ上の各プローブの配列および位置は既知であるので、プローブアレイに適用された標的核酸の正体が、相補性により決定され得る。
【０００６】
使用される多様な標識がある。ｃＤＮＡおよびＥＳＴは、オートラジオグラフ法またはホスホルイメージング（３２Ｐ）によって検出され得る。蛍光染料もまた用いられ、Ｃｌｏｎｔｅｃｈのような供給者から市販されている。
【０００７】
ヒトゲノム計画のマッピングおよび配列決定フェーズは、スケジュールよりもかなり先行している。今までに、真核生物Ｓ．ｃｅｒｅｖｉｓｉａｅおよびＣ．ｅｌｅｇａｎｓを含む、１７モデルの生物の完全ゲノム配列が完成している。完全ヒトゲノム配列は、本年中に入手し得ると予想されている。しかし、既に配列決定された遺伝子のうちで、５３，０００のヒト遺伝子の約２０％、あるいは６，２００の酵母オープンリーディングフレームの２５％の機能が知られているに過ぎない。ヒトゲノム計画の次のフェーズは、残りの８０％の遺伝子の機能の理解を扱う。新規な遺伝子の機能の研究のための主たるアプローチは、その発現のパターン−いつ、どこで、そしてどの程度強く、発現するか−を決定することによる。
【０００８】
現在遺伝子発現レベルの研究の手段となっている技術には、ノーザンブロット（Ａｌｗｉｎｅら、Ｐｒｏｃ．Ｎａｔｌ  Ａｃａｄ．Ｓｃｉ．ＵＳＡ  ７４：５３５０−５３５４（１９７７））、ＲＴ−ＰＣＲ（Ｍａｒｔｏｒａｎａら、Ｂｉｏ  Ｔｅｃｈｎｉｑｕｅｓ  ２７、１３６−１４４（１９９９）、Ｗｅｎら、Ｐｒｏｃ．Ｎａｔｌ．Ａｃａｄ．Ｓｃｉ．ＵＳＡ  ９５、３３４−３３９（１９９８））、差次的ディスプレイ（ＬｉａｎｇおよびＰａｒｄｅｅ、Ｓｃｉｅｎｃｅ  ２５７、９６７−９７１（１９９２））、ｃＤＮＡライブラリからのＤＮＡの配列決定（Ｏｋｕｂｏ，Ｋら、Ｎａｔｕｒｅ  Ｇｅｎｅｔ．２、１７３−１７９（１９９２））、および遺伝子発現の系統的分析−ＳＡＧＥ（Ｖｅｌｃｕｌｅｓｃｕ，Ｖ．Ｅ．ら、Ｃｅｌｌ  ８８，２４３−２５１（１９９７））が含まれる。ＳＡＧＥ以外のこれらのアプローチは全て、同時に処理できるのは、わずかに数ダースから数百の試料のみである。近い将来に受け取るであろう膨大な量の情報（異なる条件下、および異なる生物における、数万の遺伝子の発現パターン）を考慮するならば、ｃＤＮＡまたはオリゴヌクレオチドマイクロアレイのような高スループットの方法のみが、この難題を解決するのに十分なほど有力であると考えられる。
【０００９】
ｃＤＮＡマイクロアレイは既に、以下の例を含む多くのケースにおいて成功を治めている：明所および暗所でのＡ．ｔｈａｌｉａｎａの萌芽（Ｄｅｓｐｒｅｚら、Ｐｌａｎｔ  Ｊ．１４，６４３−６５２（１９９８））、ヒトＴ細胞における熱ショックおよびホルボールエステル調節遺伝子（Ｓｈｅｎａら、Ｐｒｏｃ．Ｎａｔｌ  Ａｃａｄ．Ｓｃｉ．ＵＳＡ  ９３，１０６１４−１０６１９（１９９６））、若および老齢マウス（Ｌｅｅ、Ｓｃｉｅｎｃｅ  ２８５，１３９０−１３９３（１９９９））、および血清刺激に対する応答における、ヒト線維芽細胞における遺伝子発現の時間的プログラム（Ｉｙｅｒ，Ｖ．Ｒ．ら、Ｓｃｉｅｎｃｅ  ２８３、８３−８７（１９９９））。マイクロアレイの実行の多くの局面が、最近、Ｎａｔｕｒｅ  Ｇｅｎｅｔｉｃｓ  ２１、増刊（１９９９）の特集で総説されている。今まで、多くの場合、ｃＤＮＡアレイは、ガラススライド上に印刷されていた。支持体としてのガラスは、多くの利点を有している。ガラスは、耐久性のある、非多孔質の物質であり、特有の蛍光性が少ない。しかし、他方で、ガラス上のマイクロアレイの各ドットの装填量は、ナイロンメンブレン上よりも低い。結果として、ガラス上のマイクロアレイでは、高濃度、典型的には、１アレイ当たり、５０−２００μｇの総ＲＮＡ、または数μｇのｍＲＮＡの蛍光標識プローブを、各ハイブリダイゼーションにおいて用いることが必要である（Ｄｕｇｇａｎら、Ｎａｔｕｒｅ  Ｇｅｎｅｔｉｃｓ  ２１、増刊、１０−１４（１９９９））。このような量のＲＮＡは通常、入手できず、この事実は、可能なｃＤＮＡマイクロアレイの実行を制限する。このマイクロアレイに不利な、ｃＤＮＡに関する別の問題は、ｃＤＮＡライブラリのクローン挿入物から抽出されるＰＣＲ産物（Ｇｅｒｈｏｌｄら、ＴＩＢＳ  ２４、１６８−１７３（１９９９））が、おそらくは、至適なハイブリダイゼーションプローブではないことである。なぜなら、クローン挿入物は、非常に異なる長さ（０．３−３．０ｋｂ）およびＧＣ含量を有することがあり、そのため異なる融点を有し得るからである。これは、特定のハイブリダイゼーション条件下でのマイクロアレイ中の異なるプローブのハイブリダイゼーションの効率が非常に顕著に異なり得ることを意味し、これにより、発現プロフィールが実験条件に依存することになる。最後に、ガラス上のアレイでのハイブリダイゼーションのためのｃＤＮＡ標的が蛍光標識された場合、このアプローチは１つの実験中の対照と試験試料との直接比較を可能とするが（Ｃｈｅｕｎｇら、Ｎａｔｕｒｅ  Ｇｅｎｅｔｉｃｓ  ２１、増刊、１５−１９（１９９９））、蛍光プローブの感度は、放射性または酵素結合されたプローブの感度よりも低い。蛍光プローブはまた、分析の間に退色することがあり、アレイを再度走査することが不可能となる。大事なことを１つ言い残したが、蛍光を分析するために必要なレーザースキャナおよび他の装置の価格は、ｃＤＮＡマイクロアレイを広く実行するには、依然として高すぎる。
【００１０】
マイクロアレイは、莫大な数の遺伝子を同時に記述する、単純かつ包括的な方法を提供する。Ｃｈｅｕｎｇら、Ｎａｔｕｒｅ  Ｇｅｎｅｔ．２１、１５−１９（１９９９）、ならびにＢｒｏｗｎおよびＢｏｔｓｔｅｉｎ、Ｎａｔｕｒｅ  Ｇｅｎｅｔ．２１、３３−３７（１９９９）によって報告されているように、アレイ調製技術は近年、完成されているが、アレイデータの定量および分析のための技術は、未だ、発展段階にある。上記のように、アレイは、一般に、正常な生物学的および疾患プロセスの研究、および差次的遺伝子発現のプロファイリングのような、広範囲の用途を見いだしている。従って、アレイデータの分析は、少なからぬ研究的興味を引いている。発現プロファイリング実験の最初の工程なので、アレイイメージの分析および定量は、それに続くデータマイニングおよび探査の精度に対して、重大な影響を及ぼす。しかし、市販のパッケージのコストの高さにもかかわらず（Ｂｏｗｔｅｌｌ、Ｎａｔｕｒｅ  Ｇｅｎｅｔ．２１、２５−３２（１９９９））、定量および分析のための手順は、未だ、時間がかかり、退屈である。いくつかの市販のパッケージは、遺伝子発現を抽出するために、剛直なテンプレートグリッドを用い、そしてそのテンプレートに重ねる際に、１ピクセルまでの精度が要求される。初めて使用するユーザーの場合、２つのアレイの単純な比較に、数時間かかることもある。さらに、多くの市販のソフトウエアパッケージは、アレイの整列のみならず、結果の信頼性の評価もまた、操作する人間に依存する。さらに、遺伝子発現の検出のための現在入手可能なシステムの全ては、欠点を有している。特定の遺伝子の存在または発現が過剰であることに起因するブリーディングが、いくつかの市販のフィルタの問題であり、１つのスポットから隣接のスポットへのブリーディングが、隣接のスポットについての結果をあいまいにする。蛍光標識は退色するので、永久的記録は別の技術によってなされなければならない。検出の感度は低い。
【００１１】
これらの問題のいくつかは、より特異的なプライマー混合物を用いることで、最小化されている。ランダムプライミングによって生成するｃＤＮＡプローブは、ほぼ全てのＲＮＡ種の中に、等方性の標識を分配する。多くの標識種は、非特異的バックグラウンドハイブリダイゼーションにのみ寄与するか、あるいは多くの異なるｃＤＮＡ断片に対して交差ハイブリダイズする。アレイ上に提示される遺伝子に対して相補的な配列である標識の割合は最小限である。標識は、オリゴ（ｄＴ）プライマーを用いて、ｐｏｌｙ  Ａ＋ＲＮＡに濃縮され得る。しかし、多くの細胞はいつでも数千の遺伝子由来のｍＲＮＡを含むので、プローブは主として、所望されない交差ハイブリダイゼーションに寄与し得る、アレイ上に提示されない配列からなる。共通の配列を排除するためのプローブの選択は、役立つ。これらの問題に向けられる別のアプローチは、アレイ上の遺伝子の数を減らすことである。さらに別のアプローチは、各アレイに複数の試料を適用して、結果を平均することができ、異常な結果を容易に同定できるようにすることである。
【００１２】
しかし、これらの技術はいずれも、マイクロアレイの分析に付随する問題を排除していない。遺伝子およびＥＳＴのマイクロアレイの分析のための、感度の高い、正確な、再現性のある手段に対する要求は未だ存する。単に定性的な検出ではなく定量的な検出の必要性もまた存在する。
【００１３】
従って、本発明の目的は、多数の遺伝子、ｃＤＮＡまたはＥＳＴのマイクロアレイにおける遺伝子発現を正確に検出するための方法および材料を提供することにある。
【００１４】
本発明の更なる目的は、マイクロアレイ中で遺伝子を定量ならびに検出するための方法および材料を提供することにある。
【００１５】
本発明の別の目的は、マイクロアレイ、ノーザンブロット、サザンブロットまたはＤＮＡハイブリダイゼーションを用いる他の技術で使用するための、遺伝子発現の非放射性または非蛍光アッセイを提供することにある。
【００１６】
（発明の要旨）
例えば、量が非常に少なく、そしてスポットが非常に近接して位置し、その結果、激しい反応が隣接のスポットまで流れ出し得るような厄介な状況となり、そのため近隣の部位の反応の精度を不明確にするような、コンビナトリアルライブラリにおける、マイクロアレイにおける遺伝子発現またはハイブリダイゼーションの検出のための方法が開発された。このアッセイは、検出のためにジゴキシゲニン酵素アッセイを用いる。
【００１７】
実施例は、酵素検出系の有用性を示す。所与の培養細胞試料に対して特異的なＥボックス関連遺伝子の転写的に調節されたプロフィールが、目的の培養物から単離されたＲＮＡから産生されたユニークなジゴキシゲニン（ＤＩＧ）標識ｃＤＮＡによって決定された。この特異的酵素標識プローブは、ＤＩＧに対するアルカリホスファターゼ結合体化抗体の比色的評価によって、ハイブリダイゼーション反応強度を検出するという、最終結果を可能にする。Ｅボックスマイクロアレイの各位置上の酵素の沈着は、放射性プローブで曝露時間のために必要とされる長い遅延の問題なしに、そして蛍光プローブアプローチに関連する光漂白および高バックグラウンド反応の問題なしに、ＣＣＤカメラに取り付けた直立式顕微鏡によって、容易に分析される。酵素的アプローチは、同じ様式で制御される遺伝子発現のサブグループを分析するように、遺伝子スクリーニングの仕事を注文に応じて適合（ｃｕｓｔｏｍ−ａｄａｐｔ）させる、ユーザーフレンドリーな設計者のアプローチを提供する。このアッセイは、非常に感度が高く、０．０２ナノグラムという少量の検出を可能とする。
【００１８】
スポットを正規化するソフトウエア分析を用いて、マイクロアレイフォーマットでのＤＮＡの発現の分析の信頼性を高めるための方法もまた、開発されている。このプロセスは、起こり得るアレイの空間的な歪曲にもかかわらず、大規模なアレイデータを自動的に定量するために、変形可能なテンプレート技術を用いる。変形可能なテンプレートの各ノードは、遺伝子スポットを表し、そして勾配降下ルールに従って繰り返され、これが、データミスマッチエネルギーとテンプレート変形エネルギーとを組み合わせたエネルギー関数を最小化する。
【００１９】
分析のための正規化方法の有用性は、加齢によってその転写レベルが変化したマウス肝臓における遺伝子ファミリーの同定研究において実証された。市販のｃＤＮＡマイクロアレイを用いて、若いマウス由来の肝臓ｍＲＮＡレベルを、加齢したＣ５７ＢＬ／６雄マウスに対して分析した。若いマウスおよび加齢マウスの肝臓由来のＲＴ−ｃＤＮＡの、５８８遺伝子のマウスｃＤＮＡマイクロアレイ（ＣｌｏｎＴｅｃｈ  Ａｔｌａｓ  Ｍｏｕｓｅ  ｃＤＮＡ  Ｅｘｐｒｅｓｓｉｏｎ  Ａｒｒａｙ）に対するハイブリダイゼーションは、その活性が組織の機能および正常な生理学的状態の修復および維持のために重要な、特定の遺伝子のファミリーの発現における、特異的な、調和した加齢関連の変化を示す。これらの遺伝子ファミリーは、腫瘍サプレッサー、細胞周期レギュレーター、および種々のストレス応答およびシグナル経路成分を含む。３２Ｐ−標識ｓｓＲＴ−ｃＤＮＡをマイクロアレイハイブリダイゼーションアッセイのためのプローブとして用い、ｍＲＮＡレベルを非常に高い存在度から非常に低い存在度までの範囲で変動させた。本明細書中に記載されるこのプロセスは、より優れた結果を得ることを実証した。
【００２０】
（発明の詳細な説明）
２つの方法論が、遺伝子検出のマイクロアレイ分析の分解能および感度を高めるために開発された。第１は、発色団検出アッセイであり、マイクロアレイ、ノーザンブロット、サザンブロット、およびＤＮＡハイブリダイゼーションの決定のための他の技術における発現量の決定を促進する。第２は、遺伝子アレイを分析するための、迅速かつ信頼性のあるアプローチであり、アレイ中の発現スポットを抽出するために、変形可能なテンプレートを用い、これは、信頼性のない発現を自動的に同定することが可能である。この自動化された繰り返しは、定量におけるヒューマンエラーをかなりの程度まで低減し、そしてアレイを比較するプロセシング時間を、既存のパッケージに比べて１０倍、至適化する。
【００２１】
（マイクロアレイの作製のための装置）
図１ａ−１ｅは、生物学的物質のマイクロアレイの形成のための装置を示す。図１ａおよび１ｂに示すように、装置の基部は防振台１である。台１の上に、第１の水平線形ガイド２によって搭載されているのは、プラットフォーム１４である。プラットフォーム１４は、キャリッジ（図示せず）を通じてガイド２中の親ねじのような駆動機構（図示せず）に接続している。水平線形ガイド２は、駆動機構に接続した、コンピュータ制御されるモータ５ａを支持し、これが、第１の線形ガイド２に沿ったプラットフォームの前後運動をもたらす。モータ５ａはコンピュータ１３に増幅器１５および運動制御板２８を介して連結している。
【００２２】
プラットフォーム１４は、脱着可能な試料貯蔵部１１を所定の位置１８に保持するように設計されている。図１ｂに示すように、試料貯蔵部１１は９６ウェルのマイクロタイタープレートである。プラットフォーム１４はまた、一連の基板１２を保持し、これは、基板の下のプラットフォーム上の穴２１を通じて吸引することによって作り出される吸引手段によって、その位置に保持されている。
【００２３】
図１ａおよび１ｂでわかるように、台１の対向する両側は垂直の立ち上がり６であり、これは、プラットフォーム１４および第１の線形ガイド２の上方にまたがるように、実質的に横方向に取り付けられた第２の水平線形ガイド３を支持する、上端を有する。第２の水平線形ガイド３は、キャリッジ（図示せず）とねじで契合した親ねじのような駆動機構（図示せず）に接続したコンピュータ制御モータ５ｂを支持し、これはガイド３に沿って、モータ５ｂの作動によって異動し得、増幅器１６および運動制御板２８を介してコンピュータ１３に接続している。
【００２４】
第３のガイド４は、第３の線形ガイド４が第１の線形ガイド２および第２の線形ガイド３に対して実質的に直角であるようにして、キャリッジによって第２の線形ガイド３に取り付けられている。コンピュータ制御モータ５ｂによって、第３の線形ガイド４は、キャリッジにより、第２の線形ガイド３の軸に沿って前後に移動し得る。第３の線形ガイド４内の駆動機構、例えば、キャリッジとかみ合う親ねじは、更なるコンピュータ制御されるモータ５ｃによって、第３の線形ガイド４が垂直に移動すること、および移動の範囲内の任意の所望の位置に位置決めされることを、可能にする。コンピュータ制御は、移動制御板２８に接続した、増幅器１７に対する、モータ５ａの接続によって達成される。線形ガイド２、線形ガイド３、線形ガイド４および３つのキャリッジの使用は、三次元における移動を提供する。
【００２５】
図１ｃに示すように、第３の線形ガイド４の下端近くに、サンプリングマニホルド９が取り付けられ、これは、試料貯蔵部１１中の４つの試料位置から４つ全てのサンプリングニードル８によって、同時に試料をピックアップすることができる間隔で、マニホルドに沿って線状に間隔を空けた４つのサンプリングニードル８を含む。サンプリングマニホルド９８は、２つの位置の間を、サンプリングマニホルド９と第３の線形ガイド４との間を接続する空気シリンダ１０の作動によって移動することができる。図１ｃに示すように、実線で、サンプリングマニホルド９は、サンプリングおよびクリーニングのための「下降」位置にある。第３の線形ガイド４が再度位置決めされているとき、サンプリングマニホルドは、破線で表されるように、「上昇」位置に旋回する。
【００２６】
第３の線形ガイド４の基部は、その上に搭載された圧電インクジェット７を有し、サンプリングニードル８は、マイクロライン導管３４によって、圧電インクジェット７に接続する（図１ｃ）。各サンプリングニードル８は、導管３４を通じてマイクロポンプ３５に接続し、そこからマイクロ弁３６に接続する。各マイクロ弁３６は、ポンプ３５から送達される流体が、対応の圧電インクジェット７、あるいは廃棄に、選択的に向けられ得るように、調節可能である。
【００２７】
図１ｂに示すように、２つの重力オーバーフロー貯蔵部２４、２５が、隔離台１上の、プラットフォームの背後に、第１の線形ガイド２の対向する両側に位置して存在する。貯蔵部２４、２５は、クリーニング溶液を含み、これは、所望であれば、装置の内部を通ってポンプで注入される。図１ｄに示すように、このようなオーバーフロー貯蔵部２４、２５は、オーバーフロー貯蔵部の下方の位置に流体取り入れ口４０を備え、この中に、目的の溶液が流体貯蔵部４１からポンプ４４で送られる。オーバーフロー貯蔵部の上の部分には、流体オーバーフロー開口部４２があり、ここから、オーバーフロー貯蔵部中の液体が、流体貯蔵部４１に戻る。オーバーフロー貯蔵部は、さらに、サンプリングニードル８を挿入させるための開口部４３を頂部に備える。
【００２８】
また、防振台１の上には、２つのクリーニングボックス２６、２７（図１ｂ）が、第１の線形ガイド２の対向する両側に、重力オーバーフロー貯蔵部２４、２５の外向きに、位置している。図１ｅに示すように、各ボックスの頂部には、開口部５１、５２が設けられ、サンプリングニードル８および圧電インクジェット７を各々、収容するようになっている。各ボックス２６、２７は、その内側に、洗浄流体を洗浄流体貯蔵部（図示せず）からサンプリングニードル８および圧電インクジェット７の外側表面に送達するための、ノズル５０を備える。ボックスの下部には、出口ポート５３が設けられ、これを通じて、廃洗浄流体が、真空トラップ中に吸い出される。
【００２９】
操作時には、多数の基板１２がプラットフォーム１４上に配置され、そして選択された試料が試料貯蔵部１１中に入れられる。第１の線形ガイド２の上に装着されたプラットフォーム１４は、サンプリングマニホルド９がサンプリングの位置に来るような位置に移動する。サンプリングマニホルド９は、空気シリンダ１０の作動によって降下し、そして第３の線形ガイド４が降下して、サンプリングニードル８を試料貯蔵部１１の中に配置する。マイクロアレイに入れられる試料の量が、サンプリングニードル８を通じて、マイクロポンプ３５によって取り出され、そして導管３４を通じて、圧電インクジェット７に送達され、そしてサンプリングマニホルド９が元に戻る。圧電インクジェット７は基板１２の上方に位置決めされ、そして圧電インクジェット７が試料を基板１２上に送達する。このプロセスが、複数の試料が所定の位置の選択された基板１２に送達されて、マイクロアレイを形成すべく、繰り返される。
【００３０】
試料の相互汚染を防ぐために、サンプリングニードル８、導管３４、マイクロポンプ３５、マイクロ弁３６、および圧電インクジェット７は、異なる試料の取り出しの間に、クリーニングされる。これは、２つの重力オーバーフロー貯蔵部（１つは（２４）塩水を含み、他方（２５）は水を含む）を用いて行われる。塩水または水がサンプリングニードル８によって取り出されて、導管３４を通って圧電インクジェット７まで送達されて、系を洗い流す。この後に、クリーニングボックス２６、２７を用いて、水および／または空気がサンプリングニードル８および圧電インクジェットの外側表面に吹き付けられる。
【００３１】
プロセスの全てが自動化され得る。動作制御、デジタル作動、試料プロセシング、およびマイクロポンピングは全て、そのために設計された特別のコンピュータプログラムを用いて、コンピュータによって制御され得る。重力オーバーフロー貯蔵部を通じての流体の再循環のような、特定の機能は、作動中、連続的に動作し得、コンピュータ制御は必要ない。
【００３２】
種々の液体試薬が、記載した装置を用いて分配され得る。例えば、液体はＤＮＡ、ＲＮＡ、改変核酸および核酸アナログ、ペプチド、抗体、抗原、酵素、または細胞を含み得る。この装置はまた、アクチベーターまたはインヒビター流体を分配し得る。アクチベーター流体は、基板に可能な結合を作るもの、あるいは先に配置された試薬との合成反応を引き起こすものである。インヒビター流体は、基板上の領域を保護して、その領域中の物質が反応するのを妨げる。
【００３３】
圧電インクジェット７は、好ましくは、ドロップ−オン−デマンドプリンタヘッドであり、これは、計測された少量の液体を、迅速かつ正確に送達し得る。送達される物質の量は、具体的な用途に依り、そして、例えば、１０から１０００ピコリットル（ｐｌ）、好ましくは２０から１００ｐｌ、そして最も好ましくは３５ｐｌであり得る。試料貯蔵部の例は、９６ウェルおよび３８４ウェルマイクロタイタープレートおよびエッペンドルフＴＭチューブを含む。サンプリングデバイスの例は、サンプリングニードルを含み、これは、ステンレス鋼の穴あき管で作製され得、シリンジチップを含み得る。
【００３４】
重量オーバーフロー貯蔵部およびクリーニングボックスは、任意の適切な位置に位置し得る。
【００３５】
マイクロポンプ３５は、間欠的または連続的に作動し得る。間欠的な作動は、動作制御板の制御の下で、ＡＣ→ＤＣリレーを用いて達成され得る。
【００３６】
装置の構成要素は、組立および装置の使用のための指示と共に、組み立てように分かれた状態で提供され得る。
【００３７】
（ジゴキシゲニン酵素検出アッセイ）
実施例２で実証するように、核酸分子間のハイブリダイゼーションの程度を可視化するための非常に感度および精度の高い手段が開発されてきている。このアッセイは、ジゴキシゲニン（ＤＩＧ）を利用して、標的核酸分子、例えば、遺伝子特異的プライマーから生成されるｃＤＮＡを標識し、続いて、アルカリホスファターゼ（ＡＰ）のような酵素と組み合わされた抗ジゴキシゲニン抗体と共にインキュベートして、比色的または化学発光検出を行う。
【００３８】
この方法は、核酸分子、典型的にはｃＤＮＡを標識する工程、標識された分子をハイブリダイズする工程、リンスしてハイブリダイズしなかった物質を除去する工程、ハイブリダイズされた物質を酵素結合抗ジゴキシゲニン抗体、典型的にはアルカリホスファターゼとインキュベートする工程、結合した酵素を明らかにするために染色する工程、およびデータ収集のためにスキャンする工程を包含する。この方法は、速く、最大で２日間を必要とし、そして４マイクログラム以下の試料を検出し得る。
【００３９】
アッセイを使用して、０．０２ナノグラムという少ない核酸を検出し得る。これは、出発物質（すなわち、標的とされる組織から単離されるＤＮＡまたはＲＮＡ）が１〜２マイクログラムと少なくともよいこと意味する。出発物質はジゴキシゲン法によって標識され得、次に、この標識された核酸をマイクロアレイでのハイブリダイゼーションのために用いる。ＡｆｆｉｍａｔｒｉｘおよびＣｌｏｎＴｅｃｈで現在用いられている方法は、出発物質として、得ることが困難なｍＲＮＡを用いることを必要とし、少なくとも１００〜１，０００マイクログラムの総ＲＮＡを必要とする。これは、本明細書に記載のアッセイで検出され得る０．０２ナノグラムのために必要な１〜２マイクログラムの総ＲＮＡと、対照的である。
【００４０】
アッセイは、色素原、化学発光または比色基質を切断し得る酵素を用いる。好ましい実施形態において、酵素は、アルカリホスファターゼであり、そして基質は、３−（４−メトキシスピロ｛１，２−ジオキセタン−３，２’−（５’−クロロ）トリシクロ［３．３．１．１］デカン｝−４−イル）フェニルリン酸二ナトリウム−ＣＳＰＤである。好ましい実施形態において、抗体のインキュベーションの後、反応した基質は、５−ブロモ−４−クロロ−３−インドリルホスフェート、トルイジン塩（ＢＣＩＰ）、およびニトロブルーテトラゾリウムクロリド（ＮＢＴ）で、検出緩衝液中で染色される。
【００４１】
（アレイ画像からの遺伝子発現の抽出）
理想的なアレイ画像において、遺伝子配列は、同じサイズの均等な間隔のスポットとして表される。しかし、スポットの印刷におけるランダムな攪乱のため、あるいは所望されない温度によって引き起こされるメンブレンの歪みのために、スポットはその理想的な位置から移動され得る。単純なグリッドのテンプレートは、遺伝子発現を抽出するには不十分である。これらのスポットの変動を克服するために、遺伝子スポットのひずみを追跡するための、形を変化させる能力を有する変形可能なテンプレートが開発されている。アクティブシェイプモデル（Ｃｏｏｔｅｓら、Ｃｏｍｐｕｔｅｒ  Ｖｉｓｉｏｎ  ａｎｄ  Ｉｍａｇｅ  Ｕｎｄｅｒｓｔａｎｄｉｎｇ  ６１、３８−５９（１９９５）；Ｏｓｔｕ，Ｎ．ＩＥＥＥ  Ｔｒａｎｓ．ｏｎ  Ｓｙｓｔ．Ｍａｎ  ＆  Ｃｙｂｅｒｎ．８、６２−６６（１９７８）；およびＡｄｒｙａｎら、ＢｉｏＴｅｃｈ．２６、１１７４−１１７９（１９９９））および変形可能なテンプレート（Ｓｅｒｒａ，Ｊ．Ｉｍａｇｅ  Ａｎａｌｙｓｉｓ  ａｎｄ  Ｍａｔｈｅｍａｔｉｃａｌ  Ｍｏｒｐｈｏｌｏｇｙ，Ａｃａｄｅｍｉｃ  Ｐｒｅｓｓ、Ｌｏｎｄｏｎ、１９８２；Ｈａｒａｌｉｃｋら、ＩＥＥＥ  Ｔｒａｎｓ．ｏｎ  Ｐａｔｔ．Ａｎａｌ．Ｍａｃｈ．Ｉｎｔｅｌｌ．９、５３２−５５０（１９８７）；Ｏｓｔｕ，Ｎ．ＩＥＥＥ  Ｔｒａｎｓ．ｏｎ  Ｓｙｓｔ．  Ｍａｎ  ＆  Ｃｙｂｅｒｎ．８、６２−６６（１９７８））が、所望の目的物の形状に関連する事前情報を、アクティブ「スネーク」モデルの開発に組み入れることによって、ひずんだ目的物を検出し、場所を突きとめるために開発された。
【００４２】
一般に、変形可能なテンプレートマッチング技術は、モデル駆動型およびデータ駆動型の分析を、エネルギー関数および一組の正則化パラメータによって統合する。２つの因子、データミスマッチおよびテンプレート変形が考慮される。通常、基準関数は、これらの２つの因子を定量化するために定義される。１つは入力パターンが変形したテンプレートとどのくらい異なるかを測定し、そして他方は、テンプレートが変形している程度を測定する。テンプレートミスマッチングまたは分類の適用において、最適なマッチングは、これらの２つの基準の加重合計を最小化することによって達成される。加重因子は正則化パラメータと呼ばれ、これは、テンプレート変形とデータミスマッチとの間にトレードオフを与える。
【００４３】
（テンプレート表示）
実施例で記載されているように、生の画像をＣｌｏｎＴｅｃｈ  ｃＤＮＡマウスアレイからスキャンする。アレイの入力画像の三次元ビューにおける各試料スポットは、グレーレベル空間中の局所的最小（ｌｏｃａｌ  ｍｉｎｉｍｕｍ）に対応する。次に、適切な情報を抽出するために、以下のモデルを用いる。
【００４４】
遺伝子試料のアレイは、同じサイズのＮ個の円のスポットの組として表される。各スポットは、
【００４５】
【数１】
2004502129.tif 000001
【００４６】
で表され、ここでＣ（Ｐ，ｒ）はユークリッド座標Ｐ＝（ｘ，ｙ）を中心とする、半径ｒの円である。スポットの強度は、円の内側のピクセル強度の平均値
【００４７】
【数２】
2004502129.tif 000002
【００４８】
である。マイクロアレイスポットの半径は、印刷および画像化条件によって決まり、全アレイにわたって、測定され、かつ定数として設定される。従って、プロトタイプテンプレートは一般的なアレイについての事前知識に基づき、これはアレイの周囲の均等な間隔の円のグリッドとして設定され得る。変形可能なテンプレートを使用する目的は、データミスマッチおよびテンプレート変形因子の両方に関して、全てのスポットの中心の最適な位置を見いだすことにある。
【００４９】
（データミスマッチエネルギー）
データミスマッチエネルギーは、入力パターンに対する変形したテンプレートの適合度を測定する。入力画像がグレーレベルなので、そして遺伝子発現が局所領域の積分強度によって表されるので、データミスマッチエネルギーは、積分強度の式で定義され得る。
【００５０】
【数３】
2004502129.tif 000003
【００５１】
ポテンシャル関数
【００５２】
【数４】
2004502129.tif 000004
【００５３】
を各スポットで定義すると、データミスマッチエネルギーは、
【００５４】
【数５】
2004502129.tif 000005
【００５５】
と単純化され、ここでφｉはｉ個目のノードの重みであり、そしてｒは試料スポットについての予め規定された半径である。ポテンシャル関数は、局所領域にわたるグレーレベル値の積分であり、これは平滑化能を有する。実験結果は、小さな摂動およびノイズに対するその堅牢さを示す。
【００５６】
（テンプレート変形エネルギー）
テンプレート変形エネルギーは、変形したテンプレートのプロトタイプテンプレートからの偏差を測定する。テンプレート変形から並進（ｔｒａｎｓｌａｔｉｏｎ）は、メンブレンの歪みによって、起こる。変形の程度を定量化するために、各スポットについての変形エネルギーを、変形コントロールノードＰｉのその所定の位置Ｐｉ０からのユークリッド距離として定義する：
【００５７】
【数６】
2004502129.tif 000006
【００５８】
ここで、λｉはｉ個目のノードの多様性（ｆｌｅｘｉｂｉｌｉｔｙ）である。テンプレート変形エネルギーの最小化は、ノードが摂動および局所のバックグラウンド中のノイズによって引きつけられることを妨げることを助け、それゆえ、提案されたアルゴリズムの堅牢さを増大させる。
【００５９】
（緩和）
テンプレート変形およびデータミスマッチエネルギーを組み合わせると、全エネルギー関数を
Ｅ＝αＥ１＋Ｅ２  （４）
として定義でき、αは、正則化パラメータである。
【００６０】
試料スポットの局在化手順は、全エネルギーの最小化に対応する。この関数の最小値は、包括的な最適化法、例えば、動的プログラミング、グリーディサーチング（ｇｒｅｅｄｙ  ｓｅａｒｃｈｉｎｇ）アルゴリズム、神経ネットワークなどを用いることによって得られ得るが、過大な計算のコストがかかる。アレイの各スポットは、所定の位置にプリントされているので、遺伝子スポットは、規則的なアレイの中に提示されることが仮定され、そのため、初期位置は、マトリックス全体の中の位置の数に従って、所定の部位で選択され得る。プロトタイプアレイテンプレートは入力アレイに十分近く配置され得ることもまた仮定される。従って、アレイスポットは、初期グリッドの周囲の局所的最小（ｌｏｃａｌ  ｍｉｎｉｍｕｍ）を見いだすことによって局在化され得る。これは、決定論的勾配降下技術（ｄｅｔｅｒｍｉｎｉｓｔｉｃ  ｇｒａｄｉｅｎｔ  ｄｅｓｃｅｎｔ  ｔｅｃｈｎｉｑｕｅ）によって具現化される：
【００６１】
【数７】
2004502129.tif 000007
【００６２】
ｉ＝１，２，．．．，Ｎ、およびηは学習速度である。
【００６３】
同位体アレイにおいて、各スポットの多様性および重みは同じに設定される。標的中心の位置は、（４）で定義されるエネルギーを最小化するように回帰され、これは、ゴムバンド上のノードの組として理解され得る；ノードの位置は、エネルギー場の局所的最小の底に下降する傾向にある。ノードの動きを制限し、そして学習速度に対する最適値の同調を回避するために、各繰り返しにおいてノードを、ΔｘおよびΔｙの符号に従って、１単位、移動させる。例えば、ＡｔｌａｓＴＭｃＤＮＡアレイの１つの機能グループ由来の遺伝子発現を抽出するために、３＊３アウトレンジピクセル平滑化フィルタ（Ｅｋｓｔｒｏｍ，Ｍ．Ｐ．Ｄｉｇｉｔａｌ  Ｉｍａｇｅ  Ｐｒｏｃｅｓｓｉｎｇ  Ｔｅｃｈｎｉｑｕｅｓ、Ａｃａｄｅｍｉｃ  Ｐｒｅｓｓ，Ｌｏｎｄｏｎ、１９８４）を適用して、白黒ノイズｓａｌｔ−ａｎｄ−ｐｅｐｐｅｒ）を減少させる。メンブレンは、ハイブリダイゼーションおよび洗浄の手順の間に歪み、その結果、調査中のメンブレンと所定のグリッドテンプレートとの間の正確なマッチを見出すことは不可能である。しかし、５回未満の繰り返しの後、変形可能なテンプレートの全てのノードは、（４）で定義される全エネルギー関数を最小化する安定した位置に来る。目視観察は、変形したグリッドテンプレートと遺伝子スポットとの間の良好な対応を確認する。
【００６４】
（非信頼性領域の検出）
アレイハイブリダイゼーションにおいて、いくつかの強力なシグナルが、オートラジオグラフにおいて観察され、口語的に「ブリーディング」スポットと呼ばれる。これらの過剰発現シグナルは、それ自体の定量化のみならず、その近隣の遺伝子の定量においても問題を引き起こす。アレイデータの分析のための大多数の市販のパッケージは、ユーザーがブリーディングした遺伝子とその近隣を目視でチェックする必要があるか、あるいはこれらのスポットの存在を単に無視するかのいずれかである。過剰発現スポットの検出の失敗は、２つの遺伝子発現プロフィールの間の比較において、誤った結果を導き得る。本明細書に記載のアプローチの目的は、ブリーディング領域を自動的に同定し、そしてユーザーに定量結果の誤りの可能性を警告することにある。そのため、ユーザーは、それらのメンブレン中の問題のある領域の、単調で退屈な実体のない評価から解放される。
【００６５】
以下の基本的な仮定は、一般的なアレイにおけるスポットについてなされている：
スポットは相互排除的である。
【００６６】
各スポット内の強度の変化は、特定の範囲を有する。
【００６７】
各スポットは、限定されたサイズの連結した成分である。
従って、過剰発現スポットの同定は、所定サイズより大きいスポットをフィルタで除くので、単純化され得る。形状に基づいて、数学的モルホロジーは、デジタル画像の処理のための効率的なアプローチを提供し、そして線形フィルタでは解決することが困難な画像プロセシング問題の解決に広く用いられている。適切に用いると、数学的モルホロジー的演算は、その本質的な形状特性を保存し、不適切さを除外することによって、イメージデータを単純化する傾向にある。基本的な数学的モルホロジー的演算は、侵食（ｅｒｏｓｉｏｎ）と膨張変換である。侵食および膨張変換の合成に基づいて、開放（ｏｐｅｎｉｎｇ）と閉鎖（ｃｌｏｓｉｎｇ）が定義される。バイナリ画像の場合を考えると，Ａを元のバイナリ画像のバイナリ「オン」ピクセルを表すポイントの組とし、そしてＢを構造化要素（ｓｔｒｕｃｔｕｒｉｎｇ  ｅｌｅｍｅｎｔ）のバイナリ「オン」ピクセルを表す点の組とする。基本的なモルホロジー的演算は以下のように定義される：
バイナリ画像Ａのバイナリ構造化要素Ｂによる膨張変換、
【００６８】
【数８】
2004502129.tif 000008
【００６９】
バイナリ画像Ａのバイナリ構造化要素Ｂによる侵食
【００７０】
【数９】
2004502129.tif 000009
【００７１】
バイナリ画像Ａのバイナリ構造化要素Ｂによる開放、
【００７２】
【数１０】
2004502129.tif 000010
【００７３】
バイナリ画像Ａのバイナリ構造化要素Ｂによる閉鎖、
【００７４】
【数１１】
2004502129.tif 000011
【００７５】
過剰発現スポットを正常な発現スポットと区別するために、円板の構造化要素、Ｃ（このサイズは検査中のアレイ上のスポットの上限である）を選択した。
Ｃ＝｛（ｘ、ｙ）｜ｘ２＋ｙ２＜Ｒ２｝、ここでＲは理想的なスポットの最大半径である。
【００７６】
過剰発現スポットの同定手順は、以下のように記載され得る：
ステップ１．入力画像Ｆ＝｛ｆ（ｘ、ｙ）｜０≦ｘ＜Ｍ，０≦ｙ＜Ｎ｝を包括的閾値技術、例えば、Ｏｓｔｕの閾値化法（Ｏｓｔｕ，Ｎ．Ａ  ＩＥＥＥ
Ｔｒａｎｓ．ｏｎ  Ｓｙｓｔ．Ｍａｎ  ＆  Ｃｙｂｅｒｎ．８，６２−６６（１９７８））によって、最適な判別分析に基づいて、バイナリ化する：
Ｇ＝｛ｇ（ｘ、ｙ）｜０≦ｘ＜Ｍ，０≦ｙ＜Ｎ｝
【００７７】
【数１２】
2004502129.tif 000012
【００７８】
Ｔは、Ｏｓｔｕの最適閾値である。
ステップ２．正常サイズのスポットを、構造化要素Ｃで、モルホロジー的開放によって、フィルターで除外する：
【００７９】
【数１３】
2004502129.tif 000013
【００８０】
従って、非信頼性領域は、組：
【００８１】
【数１４】
2004502129.tif 000014
【００８２】
で表される。
ステップ３．コントロールノードＰｉ＝（ｘｉ，ｙｉ）を、もし
【００８３】
【数１５】
2004502129.tif 000015
【００８４】
ならば、過剰発現スポットと同定する。
【００８５】
実際、定量化の問題は、過剰発現のみに存するのではなく、その近隣のスポットにも存する。スポットの真の位置の位置決めの繰り返しの間に、いくつかのコントロールノードが過剰発現スポットに急速に誘引される。なぜなら、低いデータミスマッチエネルギー場がこれらのスポットの周囲に形成されるからである。この系において、遺伝子発現スポットは、もし対応のコントロールノードがその初期位置から遠くに移動したならば、非信頼性と標識される。
【００８６】
（標識測定）
マイクロアレイでの定量的分析において、各スポットから放射される蛍光あるいは放射能の量は、そのスポットに会合した標識核酸プローブの量の表示である（ＡｔｌａｓＴＭｃＤＮＡ発現アレイユーザーマニュアル、プロトコル＃ＰＴ３１４０−１、バージョン＃ＰＲ９１２０８、７−９頁、１９９８）。３Ｄで表示される各スポットの強度は、試料スポットについての半球形状の仮定は定量的目的には十分ではないことを示す。以下の積分関数は、各スポットの容量を計算するために用いられる：
【００８７】
【数１６】
2004502129.tif 000016
【００８８】
個別の画像において、積分は、合計で置き換えられ、そして円の面積を用いて、容量が正規化される：
【００８９】
【数１７】
2004502129.tif 000017
【００９０】
ここで
【００９１】
【数１８】
2004502129.tif 000018
【００９２】
は変形可能なテンプレートマッチングの繰り返しから得られた標的ノードである。正規化容量は、範囲［０，Ｉｍａｘ］内の真の値であり、ここでＩｍａｘはピクセル値の上限である。８ビットおよび１６ビットグレースケール画像について、Ｉｍａｘは、各々、２５５および６５５３５に等しい。
【００９３】
（性能試験：自動化プロセシング対手動操作）
系を、２つのＣｌｏｎＴｅｃｈフィルターからの２４サブ画像に基づいて調整した。調整ステージは、エネルギーの規定の中で最適な正規化パラメータを選択することを含む。系を１７ＣｌｏｎＴｅｃｈフィルタからの２０４サブ画像、および研究所内で印刷した５０バイオチップマイクロアレイ画像で試験した。試験結果は、スポットが相互排除的である場合、提案したモデルがスポットを申し分なく抽出することができることを示す。しかし、いくつかのスポットは、過剰発現されたものに誘引され、そのため定量手順に歪みを起こす。系はこれらの、誤りのスポットを自動的に同定することができるが、最終的な解決は、最適なプローブと実験条件の設計における改良を必要とする。表１は、ＡｔｌａｓＴＭアレイの分析における３つの系（ＣｌｏｎＴｅｃｈによってリリースされたＡｔｌａｓＩｍａｇｅＴＭ１．０（ｈｔｔｐ：／／ｗｗｗ．ｃｌｏｎｔｅｃｈ．ｃｏｍ）、Ｊｏｈａｎｎｅｓ  Ｇｕｔｅｎｂｅｒｇ  Ｕｎｖｅｒｓｉｔｙによって開発されたＥｓｔＢｌｏｔ（Ａｄｒｙａｎら、ＢｉｏＴｅｃｈ２６，１１７４−１１７９（１９９９））、および本発明らの研究室で開発されたＡｒｒａｙＡｎａｌｙｚｅｒを含む）の間の比較を列挙する。既存の系と比べて、本発明らの系は数倍速く働く。系の誤差を、１つのアレイに対して６回の定量手順を繰り返すことによって測定する。２つの因子が系の評価において考慮される：平均誤差
【００９４】
【数１９】
2004502129.tif 000019
【００９５】
および最大誤差
【００９６】
【数２０】
2004502129.tif 000020
【００９７】
、ここでμｉおよびδｉは、平均値、ならびに数回の繰り返しの中のｉ個目のスポットの測定における標準偏差である。表２は、ＣｌｏｎＴｅｃｈフィルタおよび研究所内で印刷したマイクロアレイの両方に対する２つの系の比較を列挙し、そして本明細書に記載の系が、既存の系よりも性能が優れていることが明らかである。提案されたアレイ画像分析法に伴う系の誤差を定量するために、２つの試料を比較し、そして以下の比較手順の局面が分析された：定量における誤差、比率における誤差、および正規化における誤差。定量における関連誤差は、δｉ／μｉとして定義し、ここでδｉおよびμｉは、この独立した６回の試験の間のｉ個目の標準偏差および平均値である。２つの試料の遺伝子発現を比較するために、本発明者らは、従来の倍率（ｆｏｌｄ  ｒａｔｉｏ）の代わりに相対倍率を定義した。試料Ｓ１およびＳ２について、相対倍率は
【００９８】
【数２１】
2004502129.tif 000021
【００９９】
として計算され、これは［−１，＋１］の範囲の値である。正の値はＳ１からＳ２へのアップレギュレーションを示し、そして負の値はＳ１からＳ２へのダウンレギュレーションを示す。相対倍率は、従来のものと同様の意味を有するが、ただし、その値は正規化されており、理解し易い。例えば、ＲＲＦ＝±０．５は、２回でのアップまたはダウンレギュレーションに対応する。遺伝子の存在度と、比率における平均および最大誤差との間の関連を比較する。低、中、および高存在度として、正規化された存在度が［０，０．３３］、［０．３３，０．６７］、［０．６７，１］の遺伝子に関して、各カテゴリーについての比率の最大誤差は、各々、１．８９％、４．８９％および１５．５４％である。低存在度の遺伝子の中の割合は、定量におけるプロトタイプテンプレートの初期位置に対して、より、感度が高い。従って、この系は、中および高存在度のスポットの扱いにおいて、より信頼性が高い。表３は、スポットの自動化評価（信頼性標識）および定量的誤差の間の関連を示す。定量的研究は、自動的に同定された「非信頼性」位置が他の２つのカテゴリーよりも、より誤差を受けることを確認する。実際、「非信頼性」スポットの割合は、ハイブリダイゼーション手順の品質の指標として使用され得る。
【０１００】
ＡｒｒａｙＡｎａｌｙｚｅｒは、定量および比較関数の大部分を自動化する。これはＡｔｌａｓ  ｃＤＮＡアレイの異なる機能グループを、別々に処理し、従って、この系は、全てのタイプのアレイの処理へと容易に一般化されることが可能となる。一方で、ＡｒｒａｙＡｎａｌｙｚｅｒは、異なるユーザー間の変動にも強い。スポットの定量は、ユーザーの主観的な判断よりもむしろ、インプット画像の性質に大きく依存する。大部分の市販の系は、人間のオペレータに結果の信頼性の評価を依存しているが、ＡｒｒａｙＡｎａｌｙｚｅｒは自動的に、過剰発現スポットおよびその影によって引き起こされる潜在的な誤差を同定する。この系の固有の特徴の１つは、非信頼性の定量を放棄し、誤差を導く結果を予め除外する。配列依存性のハイブリダイゼーション特性および任意のハイブリダイゼーション反応に固有の変動に起因して、Ａｔｌａｓデータおよび任意の他のアレイデータは、半定量的であるに過ぎないと考えるべきであるのは、何の価値もない。アレイ実験の任意の興味深い結果を他のアッセイで確認して、ＲＮＡのレベルをノーザンおよび／または半定量的ＲＴ−ＰＣＲ法を通じて測定することが常に必要である。
【０１０１】
要約すると、ここで提示されるコンピュータプログラムによって定義されるプロセスは、無差別なマイクロアレイ設計に固有の非信頼性の問題のいくつかに向けられる。さらなる解決は、マイクロアレイを、クラスターパターンで、「分割および征服（ｄｉｖｉｄｅ−ａｎｄ−ｃｏｎｑｕｅｒ）」様式で、設計して、遺伝子をその固有の存在度のレベルに従って、グループ分けし、そして次にこれらをテンプレートに整列させることである。「分割および征服」アプローチは、また、汎用性を提供し、集中的な努力で、選択された遺伝子のクラスターのフォローアップ研究を可能とする。新たなレポートは、１８，０００から２０，０００遺伝子のテンプレートにおける遺伝子発現の変化を測定するためのマイクロアレイ分析アプローチの力を示す。本明細書に記載の方法は、大部分の変化が生じた領域を検出することを可能とし、綿密なフォローアップの確認を、他の分子的方法論、例えばノーザンブロット分析および／または半定量的ＲＴ−ＰＣＲ分析を通じて可能とする。さらに、選択された領域はまた、コンピュータ自動化分析対手動デンシトメトリーによるトレーシングを比較するための、綿密な分析のために使用され得る。最終的には、任意のマイクロアレイ分析に関与するコンピュータ作業は複数の遺伝子変化を、最大の信頼性および再現性で、人的誤差を最小限にして、詳細に記録するべきである。この問題は、強力な数学的モデリングおよびコンピュータプログラムによって取り扱うことができるが、より重要なことには、これは、マイクロアレイを設計するときに心に浮かぶ必要がある。従って、遺伝子を生物学的系におけるその存在度のレベルに応じて遺伝子をクラスターにするための、「デザイナーバイオチップ」、ならびにコンピュータで自動化されたデータ分析のプロセシングの使用は、高スループット技術の現在の進行におけるバイオインフォマティクスの職務を容易にする。
【０１０２】
（実施例１：変形可能なテンプレートを用いた若齢および老齢動物由来のＤＮＡの比較）
Ｐ．ＣｈｏｍｃｙｎｓｋｉおよびＮ．Ｓａｃｃｈｉ、Ａｎａｌ  Ｂｉｏｃｈｅｍ．１６２，１５６（１９８７）に記載の技術に従って、総ＲＮＡを凍結した肝臓から、ホモジナイズした肝臓をグアニジウム／フェノール溶液で抽出することによって単離した。水性相をさらに、（２５：２４：１）フェノール：ＣＨＣｌ３：ＩＡＡで抽出し、そしてグリコーゲンを遠心分離で除去した。ＲＮＡをエタノール沈殿で回収し、分光法で定量し、そしてゲル電気泳動で定性した。１．５μｇの高品質Ｄｎａｓｅ処理総ＲＮＡを、５８８最適化プライマー（ＣｌｏｎＴｅｃｈ）を用いた［アルファ−３２Ｐ］ｄＡＴＰ標識されたＭＭＬＶ逆転写酵素ｃＤＮＡ合成において、使用した。組み込まれていない３２Ｐ−標識化ヌクレオチドを標識化ｃＤＮＡプローブから、重力溶離を用いたＣｈｒｏｍａ  Ｓｐｉｎ  ｓｐｉｎカラム（ＣｌｏｎＴｅｃｈ）によるプロファイリングによって除去した。ｃＤＮＡ／ＲＮＡプローブを含む画分を６８℃で１ＭのＮａＯＨを用いて、一本鎖ｃＤＮＡに変換し、そして１Ｍ  ＮａＨ２ＰＯ４［ｐＨ７．０］で中和した。プローブを終夜６８℃で、５８８ＰＣＲ遺伝子産物を含む予備ハイブリダイズ（６８℃、３０分間）されたＣｌｏｎＴｅｃｈマウスマイクロアレイに、Ｃ０ｔ−１ＤＮＡおよび剪断した鮭精子の存在下、ＥｘｐｒｅｓｓＨｙｂハイブリダイゼーション溶液（ＣｌｏｎＴｅｃｈ）を用いて、ハイブリダイズした。メンブレンを４回、予め加温した２Ｘ  ＳＳＣ、１％ＳＤＳで洗浄し、次いで予め加温した０．１Ｘ  ＳＳＣ、０．５％ＳＤＳで２回、さらに洗浄した。メンブレンを次に、オートラジオグラフィーおよびホスホルイメージングのために、プラスチックラップで湿ったままラップした。
【０１０３】
ＣｌｏｎＴｅｃｈ  ＡｔｌａｓマウスｃＤＮＡ発現アレイの分析において、オートラジオグラフフィルムを３００ＤＰＩ、８ビットグレースケールで、典型的な市販のフラットベッドスキャナ、Ｓａｐｈｉｒ  Ｌｉｎｏｔｙｐｅ−Ｈｅｌｌによってスキャンした。得られた画像を、研究所内で開発されたソフトウエアパッケージＡｒｒａｙＡｎａｌｙｚｅｒによって画質補正し、分析した。所望されない歪みを有するメンブレンを扱うために、変形可能なテンプレートを定義して、遺伝子発現を自動的に定量する。変形可能なテンプレート中の各ノードを、勾配降下ルール（これはデータミスマッチエネルギーおよびテンプレート変形エネルギーを組み合わせたエネルギー関数を最小化する）に従って繰り返す。理想的な遺伝子スポットは所定の半径の円でモデル化される。従って、遺伝子発現は、積分強度によって定量化され得る。ＡｒｒａｙＡｎａｌｙｚｅｒはまた、「ブリーディング」領域を同定することが可能であり、そのため、ユーザーに、定量における潜在的誤りを警告する。後の分析において、これらの領域は注意深くチェックされ、そして論議から除かれる。２つの試料の遺伝子発現を比較するために、相対的倍率を従来の倍率の代わりに定義する。試料間の相対的倍率は、操作における人的誤差を考慮して、組毎の比較は中および高存在度の遺伝子において、より信頼性があることを示す。本文に記載の実験結果は各フィルタ毎、３回の繰り返しの平均に基づく。２つの試料の正規化において、ラムダＤＮＡをネガティブコントロールとして選択し、そしてＨＰＲＴ、ＭＯＤ、およびＧ３ＰＤＨをポジティブコントロールとして選択した。線形正規化法を適用した。
表１  ２つのＣｌｏｎＴｅｃｈ  Ａｔｌａｓ  ａｒｒａｙの定量における３つの系の性能
【０１０４】
【表１】
2004502129.tif 000022
【０１０５】
（１）ＡｔｌａｓＩｍａｇｅＴＭ１．０のプロセシングタイムは製造者の指示にで見積もられたもの。
（２）ＥｓｔＢｌｏｔおよびＡｒｒａｙＡｎａｌｙｚｅｒのプロセシング時間は、Ｐｅｎｔｉｕｍ（登録商標）４００，３４８ＭＢ  ＲＡＭで試験される。
この表において、「Ｍ」は手動操作を表し、「Ａ」は自動化プロセシングを表す。ＡｒｒａｙＡｎａｌｙｚｅｒのプロセシング時間の測定における演算子「＊」は、同じ手順の繰り返し時間を意味する。ＡｒｒａｙＡｎａｌｙｚｅｒは一般的なアレイ分析について設計されているので、ＣｌｏｎＴｅｃｈのｃＤＮＡアレイ中の各遺伝子のグループおよびハウスキーピング遺伝子は個別のアレイとして処理される。従って、定量化関数は、各アレイに９回適用され（６回は機能グループ、３回はコントロール遺伝子）、そして比較関数が６回適用される。
表２  定量におけるシステムエラーの比較
【０１０６】
【表２】
2004502129.tif 000023
【０１０７】
２人の独立したオペレータが、プロトタイプテンプレートの初期位置（左上および右下隅）を与えるために必要である。各オペレータは、同じ手順を１つの試料に３回繰り返す。試験の間、人間のオペレータはグリッドテンプレートの初期位置を整列中に３つから１０ピクセルまで置き換えたことが観察された。６回の繰り返しについては、２つの因子が系の評価に置いて考慮された：平均誤差
【０１０８】
【数２２】
2004502129.tif 000024
【０１０９】
および最大誤差
【０１１０】
【数２３】
2004502129.tif 000025
【０１１１】
ここでμｉおよびδｉは、ｉ個目のスポットの測定における、平均値、ならびに標準偏差である。
表３  異なる標識のスポットについての誤差の比較
【０１１２】
【表３】
2004502129.tif 000026
【０１１３】
実験条件は表３と同じである。この表は、スポットの自動化評価（信頼性標識）と定量的誤差との間の関係を示す。２つの因子が考慮される：平均誤差
【０１１４】
【数２４】
2004502129.tif 000027
【０１１５】
および比率の比較における最大誤差の平均である。自動的に同定された「非信頼性」位置は他の２つのカテゴリーよりも損害を受けていることが示される。実際に、「非信頼性」スポットの割合は、ハイブリダイゼーション手順の品質の指標として用いることができる。
【０１１６】
（実施例２：Ｅボックス結合関連遺伝子発現のマイクロアレイ分析についてのジゴキシゲニン酵素的検出）
発現プロファイリングのためのｃＤＮＡマイクロアレイの利点および問題を具現化するために、ジゴキシゲニン（ＤＩＧ）を遺伝子特異的プライマーから生成される標的ｃＤＮＡを標識するために利用することに基づき、引き続き、アルカリホスファターゼ（ＡＰ）と結合した抗ジゴキシゲニン抗体と共にインキュベートし、そして比色的または化学発光検出を行う、新規なアプローチを開発した。多くの遺伝子のプロモーター領域に位置する、Ｅボックス結合要素（ＣＡＧＧＴＧ）を含む遺伝子の組をプローブとして選択した。おそらく、Ｅボックス結合遺伝子の最もよく知られた代表はｃ−Ｍｙｃであり、このトランス活性化活性は、細胞サイクルの調節、増殖、およびアポトーシスにおいて重要な役割を果たしている（Ｅｉｌｅｒｓ，Ｍ．Ｍｏｌ．Ｃｅｌｌｓ  ９，１−６（１９９９）；Ｄａｎｇ，Ｃ．Ｖ．Ｍｏｌ．Ｃｅｌｌ．Ｂｉｏｌ．１９，１−１１（１９９９）；ＦａｃｃｈｉｎｉおよびＰｅｎｎ  ＦＡＳＥＢ  Ｊｏｕｒｎａｌ  １２、６３３−６５１（１９９８））。ｃ−Ｍｙｃについて相互作用または調節的発現をする遺伝子、ならびにその発現がＥボックス結合依存的であるいくつかの標的遺伝子が、このマイクロアレイに含まれる。ハイブリダイゼーションプローブの標識化のための酵素的アプローチと組み合わせれた、これらのカスタム設計されたマイクロアレイは、遺伝子発現の特定のサブグループの高スループット遺伝子スクリーニングアッセイのための、安価な、ユーザーフレンドリーな系の開発を可能にする。
【０１１７】
（材料および方法）
（アレイ形成のためのプローブの選択）
Ｅボックス結合タンパク質、ならびにｃ−Ｍｙｃ−調節、−相互作用および標的遺伝子を、異なるデータベース−ＧｅｎｅＡｔｌａｓ（ｈｔｔｐ：／／ｗｗｗ．ｃｉｔｉ２．ｆｒ／ＧＥＮＡＴＬＡＳ）、ＧｅｎｅＣａｒｄｓ（ｈｔｔｐ：／／ｂｉｏｉｎｆｏ．ｗｅｉｚｍａｎｎ．ａｃ．ｉｌ／ｃａｒｄｓ）、ＧｅｎＢａｎｋ（ｈｔｔｐ：／／ｗｗｗ．ｎｃｂｉ．ｎｋｍ．ｎｉｈ．ｇｏｖ／Ｗｅｂ／Ｇｅｎｂａｎｋ）およびＰｕｂＭｅｄ（ｈｔｔｐ：／／ｎｃｂｉ．ｎｌｍ．ｇｏｖ／ＰｕｂＭｅｄ）から選択した。Ｕｎｉｇｅｎｅ（ｈｔｔｐ：／／ｗｗｗ．ｎｃｂｉ．ｎｌｍ．ｎｉｈ．ｇｏｖ／ＵｎｉＧｅｎｅ／ｉｎｄｅｘ．ｈｔｍｌ）クラスター数および配列を用いて、遺伝子を同定し、そしてその固有性を確認した。９つのハウスキーピング遺伝子、ならびにＨｅＬａ細胞ＤＮＡをポジティブコントロールとして選択し、ネガティブコントロールとして、ラムダＤＮＡおよび２×ＳＳＣ（２×標準塩溶液−０．３Ｍ  ＮａＣｌ、３０ｍＭ  クエン酸Ｎａ、ｐＨ７．０）を選択した。各遺伝子について、一組のプライマーを、Ｐｒｉｍｅｒ３ソフトウエア（ＲｏｓｅｎおよびＳｋａｌｅｔｓｋｙ（１９９８）Ｐｒｉｍｅｒ３．コードはｈｔｔｐ：／／ｗｗｗ−ｇｅｎｏｍｅ．ｗｉ．ｍｉｔ．ｅｄｕ／ｇｅｎｏｍｅ  ｓｏｆｔｗａｒｅ／ｏｔｈｅｒｐｒｉｍｅｒ３．ｈｔｍｌから入手可能）の補助の下に、生成した。プログラムパラメータは、アンプリコンが８０℃に近くなるが８８℃を越えず、あるいは７５℃未満となり、アンプリコンの長さが一般に約４５０ｂｐ（いくつかの外層は３００から７００ｂｐの間）であり、プライマーアニーリング温度が約６０℃、平均プライマー長が２３ｂｐとなるように、選択した。全てのアンプリコンの配列は、著作権のあるソフトウエア（ＢＬＡＳＴＩＮ，ＦＡＳＴＡ）を用いて、注意深く確かめ、繰り返し要素と他の関連の配列との相同性を回避し、そしてまた同じファミリー由来の遺伝子間を区別した。全ての選択された遺伝子の全リストを表４に示す。
【０１１８】
（ＤＮＡ、ＲＮＡおよびｍＲＮＡ単離）
総ＲＮＡおよびＤＮＡを、約１０８ＨｅＬａ細胞培養物および新鮮な血液アリコートからＴｒｉｚｏｌ試薬（Ｇｉｂｃｏ  ＢＲＬ、Ｂｕｒｌｉｎｇｔｏｎ，ＯＮ）から単離されたヒト末梢リンパ球から、単離した。ＤＮＡおよびＲＮＡ濃度および品質を、分光法および０．８または２％アガロースゲル中でのゲル電気泳動によって、各々、求めた。ポリ（Ａ）＋ＲＮＡを１５０μｇの総ＲＮＡから、Ｏｌｉｇｏｔｅｘ  ｍＲＮＡキット（Ｑｉａｇｅｎ、Ｍｉｓｓｉｓｓａｕｇａ、ＯＮ）を用いて、製造者の指示に従って、単離した。
【０１１９】
（プローブの増幅および精製）
製造者の指示に従って、４０μｌの反応中で、２００ＵのＭＭＬＶ（Ｇｉｂｃｏ  ＢＲＬ、Ｂｕｒｌｉｎｇｔｏｎ、ＯＮ）を用いて、１０μｇの総ＲＮＡを逆転写した。各プライマーの組についての２つのＰＣＲ反応を、総容量１００μＬで、ＧｅｎｅＡｍｐ  ＰＣＲシステム９７００（ＰＥ  Ａｐｐｌｉｅｄ  Ｂｉｏｓｙｓｔｅｍｓ，Ｎｏｒｗａｌｋ，ＣＴ）中で行った。各５０μｌの反応（１０ｍＭ  Ｔｒｉｓ−ＨＣｌ、ｐＨ８．６、５０ｍＭ  ＫＣｌ、０．１％Ｔｒｉｔｏｎ  Ｘ−１００、１．５ｍＭ  ＭｇＣｌ２、０．５ｍＭの各ｄＮＴＰ、２０ｐＭの各プライマー、１．２５ＵのＴａｑ  ＤＮＡポリメラーゼ（Ａｍｅｒｓｈａｍ  Ｐｈａｒｍａｃｉａ  Ｂｉｏｔｅｃｈ，Ｂａｉｅ  ｄ’Ｕｒｆｅ、ＱＣ）および１０μｌのＲＴ反応または１００ｎｇのゲノムＤＮＡ）を以下のように熱サイクルにかけた：第１サイクル、９４℃で５分間、３５サイクル、９４℃で４５秒間、６０℃で１分間および７２℃で３０秒間、最終サイクル、７２℃で７分間。ＲＴ−ＰＣＲで増幅され得ないプローブを、プライマーが遺伝子の３’領域で選択される条件で、ゲノムＤＮＡから抽出し、ＰＣＲ産物のサイズおよび収率は、２％アガロース中のゲル電気泳動によって決定した。次にＰＣＲ産物を、または分取アガロースゲル電気泳動の後に（副産物が決定されるなら）、溶液またはアガロースゲルバンドから、ＧＦＸカラム（Ａｍｅｒｓｈａｍ  Ｐｈａｒｍａｃｉａ  Ｂｉｏｔｅｃｈ，Ｂａｉｅ  ｄ’Ｕｒｆｅ、ＱＣ）を用いて精製した。精製の後、全てのプローブの濃度をアガロースゲル電気泳動で見積もり、そして約１００ｎｇ／μｌに調節した。
【０１２０】
（ロボティックアレイ）
２×標準塩溶液（ＳＳＣ）中の精製されたＰＣＲ産物を、ＧｅｎｅＭａｃｈｉｎｅｓＴＭＯｍｎｉＧｒｉｄマイクロアレイ（Ｇｅｎｏｍｉｃ  Ｉｎｓｔｒｕｍｅｎｔａｔｉｏｎ  Ｓｅｒｖｉｃｅｓ，Ｓａｎ  Ｃａｒｌｏｓ、ＣＡ）にＣｈｉｐＭａｋｅｒ２チップ（Ｔｅｌｅｃｈｅｍ  Ｉｎｔｅｒｎａｔｉｏｎａｌ、Ｓａｎ  Ｊｏｓｅ、ＣＡ）を装着して用いて、３８４ウェルプレートから三連でアレイを形成した。ドット間の空間は４００μｍであった。マイクロアレイを、標準的なガラススライドにテープで取り付けた、Ｈｙｂｏｎｄ−ＮナイロンメンブレンまたはＨｙｂｏｎｄ−Ｎ＋ナイロンメンブレン（Ａｍｅｒｓｈａｍ  Ｐｈａｒｍａｃｉａ  Ｂｉｏｔｅｃｈ，Ｂａｉｅ  ｄ’Ｕｒｆｅ、ＱＣ）の上に印刷した。各１０スライドとメンブレンの前後に、通常のスライドを挿入して、印刷品質を検査した。アレイを形成した後、メンブレンに５０ｍＪでＵＶ照射（ＧＳ  Ｇｅｎｅ  Ｌｉｎｋｅｒ、Ｂｉｏ−Ｒａｄ、Ｈｅｒｃｕｌｅｓ、ＣＡ）して、ＤＮＡを固定化した。アレイを含むメンブレンのフラグメント（約１×１．５ｃｍ）を切り出し、沸騰水中で５分間、変性し、０．１％ＳＤＳで５分間リンスし、そしてプレハイブリダイゼーションに用いた。ＵＶ照射工程の後、メンブレンはガラススライドに付けたまま保存し得る。
【０１２１】
（ハイブリダイゼーションのためのＤＩＧ標識ｃＤＮＡの調製）
遺伝子特異的プライマー（ＧＳＰ）の初期混合物を製造した。この目的のために、プローブを調製するためのＲＴ−ＰＣＲ反応に用いた１ｎＭの各プライマーを総量２５０μｌで混合した。ジゴキシゲニン（ＤＩＧ）標識された標的をＲＴ反応によって以下のように生成した：総量１４μｌの、１μｌのＧＳＰ、４μｇの総ＲＮＡ、およびＲＮＡアーゼを含まない水を、６５℃で１５分間加熱して、ＲＮＡを変性させ、そして次にプライマーアニーリングのために、室温で５分間保持した。あるいは、２μｇのｍＲＮＡおよび４００ｎｇのオリゴ（ｄＴ）１２−１８プライマーを用いた。酵素製造者から供給された８μｌの５×第１標準緩衝液、２μｌのｄＡＴＰ、ｄＣＴＰおよびｄＧＴＰの１０ｍＭ混合物（最終濃度各５００μＭ）、４μｌの０．１Ｍ  ＤＤＴ、０．７μｌのＲＮＡガード、３１Ｕ／μｌ（Ａｍｅｒｓｈａｍ  Ｐｈａｒｍａｃｉａ  Ｂｉｏｔｅｃｈ、Ｂａｉｅ  ｄ’Ｕｒｆｅ、ＱＣ）、１０μｌの１９：１  ｄＴＴＰ：ＤＩＧ−１１−ｄＵＴＰの２ｍＭ混合物（Ｒｏｃｈｅ、Ｌａｖａｌ、ＱＣ）および２μｌ（２００Ｕ／μｌ）のモロニーマウス白血病ウイルス逆転写酵素（ＭＭＬＶ  ＲＴ）（Ｇｉｂｃｏ  ＢＲＬ、Ｂｕｒｌｉｎｇｔｏｎ、ＯＮ）を含む反応混合物を加えた。反応を３７℃で１時間行い、次いで、９４℃で５分間、酵素切断をＧｅｎｅＡｍｐ９７００で行った。あるいは、Ｏｍｎｉｓｃｒｉｐｔ  逆転写酵素（Ｑｉａｇｅｎ，Ｍｉｓｓｉｓａｕｇａ、ＯＮ）を製造者の指示に従って用いた。標識化反応は、ＧＦＸカラム上で精製した。この工程は、１００ｂｐより短い全ての標識化産物、ならびに未組み込みのヌクレオチド、プライマーおよびタンパク質を除去する。
【０１２２】
精製の後、標識化の効力を以下のように見積もった：１μｌの１：１００、１：１０００、１：１００００および１：１０００００希釈物を、我々のアッセイの標準化のために、既知濃度（１０−０．０１ｐｇ／μｌ）のコントロールＤＩＧ標識化ＤＮＡ（Ｒｏｃｈｅ，Ｌａｖａｌ、ＱＣ）の希釈物と共に、Ｈｙｂｏｎｄ−Ｎメンブレン上にスポッティングした。ＵＶでの固定化の後、メンブレンをＤＩＧに対するアルカリホスファターゼ（ＡＰ）結合抗体（抗ＤＩＧ−ＡＰ）と共にインキュベートし、リンスし、そして化学発光基質、３−（４−メトキシスピロ｛１，２−ジオキセタン−３，２’−（５’−クロロ）トリシクロ［３．３．１．１３，７］デカン｝−４−イル）フェニルリン酸二ナトリウム−ＣＳＰＤ（Ｒｏｃｈｅ、Ｌａｖａｌ、ＱＣ）で、製造者の指示に従って、染色した。
【０１２３】
（ハイブリダイゼーションおよびプロセッシング）
ハイブリダイゼーションおよびプレハイブリダイゼーションのために、ＤＩＧ  Ｅａｓｙ  Ｈｙｂ緩衝液（Ｒｏｃｈｅ、Ｌａｖａｌ、ＱＣ）または５０％脱イオンホルムアミドを含むホルムアミド緩衝液、５×ＳＳＣ、２％ブロッキング溶液（Ｒｏｃｈｅ、ｌａｖａｌ、ＱＣ）、０．１％Ｎ−ラウロイルサルコシン、０．０２％ＳＤＳ、１００μｇ／ｍｌ変性サケＤＮＡを用いた。メンブレンを４２℃で２時間、ハイブリダイゼーションオーブン（Ａｕｔｏｂｌｏｔ、Ｂｅｌｌｃｏ，Ｖｉｎｅｌａｎｄ、ＮＪ）中でプレハイブリダイズした。ハイブリダイゼーションを４２℃で終夜、５ｍｌのＦａｌｃｏｎチューブに入れた１ｍｌ以下のハイブリダイゼーション溶液中で、行った。ハイブリダイゼーション混合物中の標識化プローブの濃度は、１０ｎｇ／ｍｌを構成した。ハイブリダイゼーションの前に、プローブを６５℃で１０分間、ハイブリダイゼーション溶液中で変性した。
【０１２４】
その後、ハイブリダイゼーションメンブレンを（特に言及のない限り）、１×ＳＳＣ、０．１％ＳＤＳで１５分間、室温で、２回リンスし、そして次に予め加温した０．１×ＳＳＣ、０．１％ＳＤＳで１５分間、６８℃ですすいだ。あるいは、メンブレンを、よりストリンジェントな条件、すなわち、２×ＳＳＣ、０．１％ＳＤＳ中、６８％で３０分間、２回、および０．１×ＳＳＣ、０．１％ＳＤ中、６８℃で３０分間、２回リンスした。リンス緩衝液（０．３％Ｔｗｅｅｎ２０含有、マレイン酸緩衝液（０．１Ｍマレイン酸、０．１５Ｍ  ＮａＣｌ、ｐＨ７．５））で５分間平衡化した後、メンブレンを１．５時間、１パーセントブロッキング溶液中でわずかに攪拌しながらブロックし、そして次に３０分間、１０ｍｌのアルカリホスファターゼ結合ヒツジ抗ジゴキシゲニン抗体（Ｒｏｃｈｅ，Ｌａｖａｌ、ＱＣ）中で処理し、比色染色のために１：１０００に希釈し、あるいは化学発光検出のために１：１００００に希釈した。抗体インキュベーションの後、メンブレンを３回、１５分間、リンス緩衝液中でリンスし、２分間、検出緩衝液（０．１Ｍ  Ｔｒｉｓ−ＨＣｌ、０．１５Ｍ  ＮａＣｌ、ｐＨ９．５）中で平衡化し、そして１７５μｇ／ｍｌの５−ブロモ−４−クロロ−３−インドリル−ホスフェート、トルイジン塩（ＢＣＩＰ）、および３３０μｇ／ｍｌのニトロブルーテトラゾリウムクロリド（ＮＢＴ）で、検出緩衝液中で染色した。あるいは、ＣＳＰＤの１：１００希釈物をアプライし、化学発光を製造者（Ｒｏｃｈｅ、Ｌａｖａｌ、ＱＣ）の推奨に従って、ＢｉｏＭａｘ  ＭＲ  Ｋｏｄａｋフィルムを用いて検出した。
【０１２５】
（アレイのスキャンおよび評価）
アレイを、Ｍｕｌｔｉｓｃａｎ−４システム（Ａｐｐｌｉｅｄ  Ｓｃｉｅｎｔｉｆｉｃ  Ｉｎｓｔｒｕｍｅｎｔａｔｉｏｎ、Ｅｕｇｅｎｅ、ＯＲ）およびカラーＣＣＤ  Ｓｏｎｙ  ９５０カメラを装備したＯｌｙｍｐｕｓ顕微鏡でスキャンした。データ取得および異なる視野の１つのフィルム上へのモンタージュは、Ｎｏｒｔｈｅｒｎ  Ｅｃｌｉｐｓｅ  Ｉｍａｇｉｎｇ  Ｓｙｓｔｅｍ（ＥＭＰＩＸ  Ｉｍａｇｉｎｇ、Ｍｉｓｓｉｓａｕｇａ、ＯＮ）によって行った。各ドットでの酵素反応の強度の定量的測定、バックグラウンドの引き算、ハウスキーピング遺伝子に対する正規化、および対のハイブリダイゼーションの比較は全て、研究室内のソフトウエアプログラムで行った。
【０１２６】
（結果）
（プローブおよびプライマーの選択）
異なるデータベースの注意深い評価の後、アレイ形成のために、９個のハウスキーピング遺伝子を含む６１遺伝子を選択した。この遺伝子のセットは、３８Ｅボックス結合遺伝子をＭｙｃ（ｃ−、Ｎ−、Ｌ１およびＬ２）ファミリー、５ｃ−Ｍｙｃ調節因子（ＺＦＰ１６１、ｎｍ２３−Ｈ２Ｓ、ＭＢＰ−１、ＲＢＭＳ  １およびＲＢＭＳ２）、５ｃ−Ｍｙｃ相互作用遺伝子（ＹＹ１、ＴＦＩＩ−１、ＰＡＭ、ＭＭ−１、およびアルファ−チューブリン）、および４ｃ−Ｍｙｃ標的遺伝子（プロチモシンアルファ、ＭＲＤＢ、ＯＤＣ１、およびｃｄｃ２５Ａ）と共に含む。ポジティブコントロールは、異なる発現レベルの９種のハウスキーピング遺伝子（ＵＢＣ、ベータ−アクチン、ＧＡＤＰＨ、ＨＰＲＴ１、ホスホリパーゼ２、ＨＬＡ−Ｃ、ＰＲＳ９、アルドラーゼＣ、およびＲＰＬ１３Ａ）、およびまたＨｅＬａゲノムＤＮＡを含む。ラムダＤＮＡおよび２×ＳＳＣ（２×標準塩溶液）（これは全てのプローブについて溶媒として用いられた）をネガティブコントロールとして選択した。
【０１２７】
全ての遺伝子に対するプライマーは、ＰＣＲ反応と同じ条件に対応し、そして同じ融点の産物を産生するという条件で、Ｐｒｉｍｅｒ３ソフトウエアの補助で選択した。大部分の産物は、ＨｅＬａまたはリンパ球ｃＤＮＡから産生された。ｃＤＮＡからのＰＣＲ増幅が失敗した場合、プライマーはこれらの遺伝子の３’領域から選択され、そしてアンプリコンはＨｅＬａゲノムＤＮＡから産生された。プライマーの平均アニーリング温度は、６０．１±０．９℃であり、これは、全てのＰＣＲ反応が９６ウェルフォーマットで行われることを可能にした。産物のサイズおよび融点、ならびにプライマーのアニーリング温度を表４に示す。アレイ形成のためのＰＣＲ産物の平均サイズ、およびその融点は、各々、４４１±５８ｂｐおよび８０±３℃であった。これらのパラメータの選択は、ハイブリダイゼーションおよびハイブリダイゼーション後のリンスをストリンジェントな条件で行うことを可能とし、クロスハイブリダイゼーションの可能性およびバックグラウンドレベルを劇的に低下させる。
【０１２８】
プライマーの周到な選択は、いくつかの場合で、非常に近い遺伝子ファミリーのメンバー間（例えば、ＵＳＦ１および２、ＩＤ２、３および４、Ｍｙｃファミリーのメンバー等）、または２つの異なるｃ−Ｍｙｃの転写物間の識別のために用いられ得る。周知のように、異なるプロモーターから転写された、種々の調節特性を有する、いくつかの異なるｃ−Ｍｙｃの転写体が存在する（ＢｏｄｅｓｃｏｔおよびＢｒｉｓｏｎ  Ｇｅｎｅ  １７４、１１５−１２０（１９９６））。１ｓｔエクソンおよび２ｎｄ−３ｒｄエクソン中でプライマーを選択することは、全長および短縮体のｃ−Ｍｙｃの間の識別を可能とする。
【０１２９】
（ハイブリダイゼーションに影響を及ぼす条件）
ナイロンメンブレン上に印刷されたｃＤＮＡマイクロアレイによるハイブリダイゼーションの結果におそらく影響を及ぼすいくつかのパラメータを注意深く試験した。まず第１に、遺伝子プロファイリングの結果を、ｍＲＮＡまたは全ＨｅＬａ  ＲＮＡのいずれかを用いて検査した。驚くべきことに、発現の全てのパターンは、ｍＲＮＡ由来のシグナルが数倍高いいくつかの遺伝子（ＵＢＣ、ＲＰＬ−１３Ａ、ＭＢＰ−１）を除いて、非常に類似していた。最も顕著な違いは、ＵＢＣにおいて見いだされ、これは５倍に達していた。あるいは、ＨＰＲＴ１およびホスホリパーゼＡ２についてのシグナルは、全ＲＮＡよりも高い。ｍＲＮＡの量が制限因子である条件下では、全ＲＮＡを代わりに用いてもよく、発現プロファイリングの結果に有意な違いはない。
【０１３０】
ハイブリダイゼーションのためのジゴキシゲニン標識化標的の産生のために用いた、２つの逆転写酵素、モロニーマウス白血病ウイルス（ＭＭＬＶ）（Ｇｉｂｃｏ  ＢＲＬ、Ｂｕｒｌｉｎｇｔｏｎ、ＯＮ）およびＯｍｎｉＳｃｒｉｐｔ（Ｑｉａｇｅｎ、Ｍｉｓｓｉｓｓａｕｇａ、ＯＮ）の比較は、遺伝子特異的プライマーを用いたときに、発現プロフィール中にいかなる違いも示さなかった。しかし、シグナル強度は、ＭＭＬＶで標識した後、特に染色の日の後に、より強かった（表５）。オリゴ（ｄＴ）プライマーをｍＲＮＡと共に用いた場合、いくつかの遺伝子の発現レベルにいくつかの有意な違いが検出された。ＯｍｎｉＳｃｒｉｐｔでの標識化は、ＲＰ−Ｓ９、ＲＰ−Ｌ１３Ａ、エノラーゼ１、Ｎ−ＭｙｃおよびＭＡＤ４に対して２−３倍強度の高いシグナルを生成する。
【０１３１】
どの緩衝液がマイクロアレイによるハイブリダイゼーションにより良好であるかを決めるために、ＥａｓｙＨｙｂＴＭ（Ｒｏｃｈｅ、Ｌａｖａｌ、ＱＣ）およびホルムアルデヒドベースの緩衝液を比較した。ＨｅＬａ  ｍＲＮＡの発現プロフィールは、緩衝液の組成とは無関係であることが見いだされたが、シグナルは、ホルムアルデヒド緩衝液中でのハイブリダイゼーションの後の方が高く（表５）、そして２％のブロッキング剤を加えるとＥａｓｙＨｙｂＴＭに比べてさらにバックグラウンドが低下し、これにより次のスキャンおよび画像評価を促進する。
【０１３２】
異なるストリンジェンシーのリンス条件を用いた場合に、ＨｅＬａ  ｍＲＮＡの発現プロフィール中には実質的な差異は見いだされなかった（材料および方法参照）。よりストリンジェントなリンスは、すべてのシグナルを一様に低下させ、よりシャープな境界を有するシグナルを生成し、そのためより容易にスキャンおよび評価が可能となる。標準的なリンス条件はおそらく既に、ｃＤＮＡマイクロアレイおよび遺伝子特異的プライマーのハイブリダイゼーションには十分ストリンジェントである。従って、時間がかからないので、標準的なリンスが好ましい。
【０１３３】
正に荷電した（Ｈｙｂｏｎｄ−Ｎ＋）ナイロンメンブレンと中性（Ｈｙｂｏｎｄ−Ｎ）ナイロンメンブレンの比較は、感度に違いがないことを明らかにした。この考察はさておき、中性（Ｈｙｂｏｎｄ−Ｎ）ナイロンメンブレンは、印刷支持体として強い生地なので、好ましい。この強度は、正に荷電したＨｙｂｏｎｄ−Ｎ＋メンブレンでは見られず、これは目に見える印刷跡を保持したので、画像分析を複雑にし、バックグラウンドを増大させた。
【０１３４】
表５からわかるように、染色時間が終夜から１日と延びても、通常、シグナルの全体の強度はわずかに１０％上がっただけである。染色時間が長いと反応のバックグラウンドレベルを増大させ、これは高感度の潜在的な利点を損なう。ハイブリダイゼーション条件の変動は、全体のシグナル強度を３０−４０％増大させ得る。しかし、正の影響は付加的ではなく、マイクロアレイアプローチの全強度における最大の差異は、わずか５０％に達するに過ぎない。ｃＤＮＡマイクロアレイでのＤＩＧ−標識化標的のハイブリダイゼーションのために、以下の条件が至適である：中性ナイロンメンブレン上にプローブを印刷、全ＲＮＡでの逆転写反応、遺伝子特異的プライマーおよびＭＭＬＶ逆転写酵素、ホルムアルデヒド緩衝液中でのハイブリダイゼーション、および標準的なリンス条件。これらの条件を以下の段落に記載の実験において実行した。
【０１３５】
（ハイブリダイゼーションの特異性、感度および信頼性）
ｃＤＮＡマイクロアレイハイブリダイゼーションの特異性を評価するために、長さ（３６８−７１１ｂｐ）のアレイ形成産物の全範囲をカバーする、５つの遺伝子（ＭＲＤＢ、ＯＤＣ、ＴＦＩＩ−１、ｃｄｃ２５Ａ、およびｃ−Ｍｙｃ）を、多重のＰＣＲ反応によって標識し、そしてｃＤＮＡアレイとハイブリダイズした（図６）。予期されるように、アレイ上の５試料のみが、ＨｅＬａゲノムＤＮＡコントロールと同様に、ポジティブであった。なぜなら、これはＨｅＬａゲノムＤＮＡが最も高濃度で位置５１にスポットされている位置にハイブリダイズするからである。そしてネガティブは、スポットされたＨｅＬａゲノムＤＮＡが低量である、位置１ａおよび１ｂでわずかに検出されるか、あるいは検出されなかったことを示す。全体として、これらの実験は、クロスハイブリダイゼーションの徴候を示さなかった（図４）
感度を見積もり、ｃＤＮＡマイクロアレイハイブリダイゼーションの較正曲線を誘導するために、異なる濃度のこの５遺伝子ＰＣＲ混合物（１０、４、１，０．４、０．１，および０．０４ｎｇ／ｍｌ）をアレイとハイブリダイズした。この実験の結果を図５に示す。半対数座標における線形依存性と、４−１０ｎｇ／ｍｌの範囲での明らかなプラトーが、全ての遺伝子について観察され、同じ４５±２の傾きであった。検出の下限は、アレイ中の異なるプローブによってわずかに変化し、個別の遺伝子ごとに４０−１００ｐｇ／ｍｌに対応する。これらの結果は、製造者（Ｒｏｃｈｅ，Ｌａｖａｌ、ＱＣ）によれば、ジゴキシゲニン系の検出限界（１０−３０ｐｇ／ｍｌ）に近い。この感度のレベルは、各々、全細胞ｍＲＮＡの０．０４％より多くを表す、中間的存在度のｍＲＮＡの検出を可能とする。この検出レベルを考慮すると、中間的存在度の約７０遺伝子を含むマイクロアレイでのハイブリダイゼーションについて、遺伝子特異的プライマーから産生される７ｎｇの標識化プローブで十分であると見積もられる。次のハイブリダイゼーションのために、１０ｎｇ／ｍｌの標識プローブ濃度を選択した。遺伝子特的プライマーとの標準的逆転写標識化反応の収率は、約２０−４０ｎｇであった。従って、１つの標識化反応で、２−４回の個別のハイブリダイゼーション反応のために十分な産物が得られる。不安定な放射性プローブとは対照的にＤＩＧ標識プローブは、貯蔵でき、そして数回再使用できる。２０℃で数ヶ月貯蔵した後、ハイブリダイゼーション混合物を２−３回再使用すると、元のものと非常に一致した結果が得られた。
【０１３６】
アレイを３６００ｄｐｉの解像度でスキャンし、そして結果を顕微鏡スキャニングの結果と比較した。一般に、複製されたドット間の変動は、スキャナの場合には高く、そして線形性は、スキャナのソフトウエアに影響を受け得る。スキャナは、特に化学発光検出が実行された場合の、ハイブリダイゼーションの結果の、初期評価に使用され得る。
【０１３７】
（ヒトリンパ球と比較したＨｅｌａ細胞の発現プロファイリング）
Ｅボックス遺伝子の発現プロファイルが、複製ＨｅＬａ細胞（図８ａ）および正常ヒトリンパ球（図８ｂ）において決定された。リンパ球において、最も顕著な変化は、Ｅボックス関連遺伝子ＴＣＦ４、ＭＡＤ４、およびアルドラーゼＣの２倍を越えるアップレギュレーションからなる。あるいは、ｃ−Ｍｙｃ−調節遺伝子ＭＢＰ１およびＮｍ２３−Ｈ２Ｓのダウンレギュレーション、ならびにｃ−Ｍｙｃの小さいダウンレギュレーションおよびＭ−Ｍｙｃのアップレギュレーションが、ＨｅＬａ細胞と比べてリンパ球で記録された。いくつかのｃ−Ｍｙｃ相互作用および標的遺伝子の発現は、リンパ球中で、ダウン（ＭＭ−１、ＯＤＣ１）またはアップ（ＰＡＭ、ＭｒＤｂ）レギュレートした。また、小さいアップ（ＭＩＴＦ、ＩＤ２）およびダウン（ＴＦＥＢ）レギュレーションが、ＨｅＬａ細胞と比較して、リンパ球中のいくつかのＥボックス結合遺伝子の発現において検出された。これらの結果を図９ａ、９ｂおよび９ｃに示す。
【０１３８】
（要旨）
ｃＤＮＡおよびオリゴヌクレオチドマイクロアレイは、遺伝子発現パターンの研究のためのますます強力な技術となってきている。この分野の急速な進歩にもかかわらず、この技術のいくつかの限界が残っている。主要な障害の１つは、多量のｍＲＮＡが必要とされることである。既存のマイクロアレイ系にかかわる他の問題は、データマイニングである。新規な遺伝子の機能を判断するためには、数万もの遺伝子の発現に対する情報が絶対に重大であるが、いくつかの例では、研究者は、多くの生理学的条件下での、遺伝子のわずか１つのサブセットの発現プロフィールに興味を持つ。６１個からの３−６個の遺伝子の発現における有意差はすでに、膨大な数、数百または数千の遺伝子の通常のマイクロアレイから検出され得るよりも、より扱いやすい。例えば、４５，０００遺伝子のＳＡＧＡ分析において、正常細胞と癌性ヒト細胞における差示的発現はわずか約１％であることが見いだされた。若齢および老齢マウスにおける発現プロファイルの分析から同様の見積もりが得られた。約６，０００遺伝子のうち約１．８％のみの発現が２倍を越えて変化する。
【０１３９】
ナイロンフィルタ上にマイクロアレイを印刷し、そして遺伝子特異的プライマーを有するｃＤＮＡの標識にジゴキシゲニンを用いると、ハイブリダイゼーション当たり４μｇという少量の総ＲＮＡを使用することが可能となる。これは、Ｃｌｏｎｔｅｃｈプロトコルにおける放射能で得られ得る感度と同じであり、そして、数μｇのｍＲＮＡを必要とし、従って開始するのに１００から１，０００マイクログラムの総ＲＮＡを必要とする通常のマイクロアレイよりも感度が高い。さらに、高い標識化感度をのＤＩＧ標識プローブは、蛍光または放射性標識されたものとは対照的に長期間貯蔵でき、そして数回再使用できる。
【０１４０】
マイクロアレイに含める遺伝子を注意深く選択し、そしてジゴキシゲニンを標識化に用ると、放射性標識の別の欠点を回避することもまた補助される。Ｅボックスマイクロアレイ中の遺伝子は、全ての同じカテゴリーのアバンダンス（ａｂｕｎｄａｎｃｅ）（中程度または低い程度の豊富さ）である。非常に多量の遺伝子を除外することは、強いシグナルの合併の問題を除去する。合併したシグナルは、いくつかの状況下で、スキャニングのプロセスを実質的に複雑にし、そしてデータ取得ステップの間に信頼性の低い結果をもたらす。
【０１４１】
放射性および蛍光プローブアプローチの両方に代わって酵素標識アプローチを用いる他の利点は、時間の節約と、繰り返し性の局面である。一般に、開始から終了までのこのプロセスは、ｃＤＮＡの標識化のために必要なステップ、ハイブリダイゼーション、リンス、アルカリホスファターゼ結合抗ジゴキシゲニン抗体とのインキュベーション、結合したアルカリホスファターゼを明らかにするための染色、およびデータ取得のためのスキャニングを含み、最大で２日間を必要とする。これは、放射性３２Ｐまたは３３Ｐ標識プローブについて、最高で８日間の曝露が必要とされるのに比べて、かなりの時間の節約である。酵素標識されたプローブの蛍光標識されたプローブに対する利点は、データ評価ステップにおけるコストの節約である。この方法は安価な日常的な直立顕微鏡を必要とするのに対し、蛍光標識プローブは、高価なレーザー検出系または共焦顕微鏡のセットアップの使用を必要とする。これは、蛍光がスキャニングプロセスの後に容易に退色し得るという有名な事実に加えて、アレイを安価な顕微鏡で、元のシグナル強度を失うことなく、繰り返しスキャンする能力のために、発明者らの酵素的アプローチをはるかに優れたものとする。
【０１４２】
これらの結果は以下のような、市販の遺伝子発現アレイと比べることができる、
表６：遺伝子発現アレイ系の比較性能
【０１４３】
【表６】
2004502129.tif 000028
【０１４４】
＊慣用的使用、括弧内は電流限界。
＊＊インビトロ転写反応における増幅前（代表的には、３０〜１００倍）。
表４  マイクロアレイにおいて表わされるＥボックス転写因子、ｃ−Ｍｙｃ相互作用遺伝子およびハウスキーピング遺伝子の一覧表
【０１４５】
【表４】
2004502129.tif 000029
2004502129.tif 000030
2004502129.tif 000031
2004502129.tif 000032
【０１４６】
表５  マイクロアレイシグナルの強度に関する異なるハイブリダイゼーション条件の影響
【０１４７】
【表５】
2004502129.tif 000033
【０１４８】
＊バックグラウンドを差し引いた後の全てのマイクロアレイのドットの総強度；同じ量のＤＩＧ標識ＨｅＬａ  ｃＤＮＡを全てのハイブリダイゼーションに用いた。
【図面の簡単な説明】
【図１ａ】
図１ａは、マイクロアレイを作製するための装置を示す。
【図１ｂ】
図１ｂは、マイクロアレイを作製するための装置を示す。
【図１ｃ】
図１ｃは、マイクロアレイを作製するための装置を示す。
【図１ｄ】
図１ｄは、マイクロアレイを作製するための装置を示す。
【図１ｅ】
図１ｅはマイクロアレイを作製するための装置を示す。
【図２】
図２ａ〜ｅは、テンプレートの定義、繰り返し、非信頼性領域の検出、およびスポット標識化の全工程を示す。「＊」として標識された過剰発現スポット、および「？」で標識された、過剰発現スポットの影で歪められたスポットを識別することは容易である。スポットの標識は、オリジナル画像に対する視覚検査によって確認され、ここで矢印は、過剰発現されたスポットの影にあるスポットの位置を示す。図２ａは、ＣｌｏｎＴｃｈのｃＤＮＡアレイの一部の生の画像である。アレイ定量方法は、二つ組でスポットされた５８８個のｃＤＮＡ要素を含む、ＣｌｏｎＴｅｃｈ  ＡｔｌａｓＴＭ  ｃＤＮＡフィルターアレイを分析することによって試験された。製造者によって提供される使用者マニュアルに従って、放射性標識化、アレイハイブリダイゼーション、およびすすぎの手順の後に、オートラジオグラフを得た。オートラジオグラフを垂直に３００ＤＰＩで走査し、８ビットクレースケールおよびガンマ補正を無効にして、デジタル画像を得た。３＊３アウトレンジ（ｏｕｔ−ｒａｎｇｅ）ピクセル平滑化フィルタを適用して、白黒（ｓａｌｔ−ａｎｄ−ｐｅｐｐｅｒ）ノイズを減少させた。初期位置を、Ｃｌｏｎｔｅｃｈフィルタの１ブロックである、オリジナル画像上のグリッドテンプレートに重ねる。ユーザーは、グラフィカルユーザーインターフェースを介して、左上および右下の角のスポットの位置を提供することが要求される。式（５）および（６）において、パラメータは、λｉ＝・ＳＵＢ＞ｉ＝１および轣≠Ｔ０と設定する。図２ｂは、プロトタイプテンプレートへの初期整列である。図２ｃは、変形可能なテンプレートの自動繰り返しによる精密整列である。図２ｄは、数学的モルホロジーにより検出される非信頼性領域（黄色）を示す。構造化要素を、理想的な試料スポットと同じサイズの円板として選択する。図２ｅは、非信頼性領域に対応するスポットの自動標識化を示す（「＊」過剰発現スポット；「？」影によって歪曲されたスポット；「ｏ」正常スポット）。
【図３】
図３ａ〜３ｄは、反復性および信頼性の定性的および定量的評価を示す。ＣｌｏｎＴｅｃｈ  ＡｔｌａｓＴＭマウスｃＤＮＡアレイの２つのブロック（転写因子および一般のＤＮＡ結合タンパク質）を同じ変形可能なテンプレート法を用いて定量化した。画像化条件は図２ａと同じである。２人の独立したオペレータが、プロトタイプテンプレートの初期位置（左上および右下隅）を決めるのに必要である（図３ａ）。各オペレータは、１つの試料に対して同じ手順を３回繰り返す。簡単にするために、［０，０．３３］のスポットの正規化強度を低存在度、［０．３３，０．６７］を中程度の存在度、および［０．６７，１］を高存在度と定義する。強度に対する相対誤差は、低存在度スポットの定量における誤差が、中および高存在度スポットの定量におけるものよりも高いことが見出されたことを示す。強度に対する、比で表した最大誤差は、低存在度スポット中の比で表した誤差が残りのスポットよりも高いことを示す（図３ｂ）。所望されない正規化の例を、対照遺伝子と比較している２つの試料中の遺伝子発現と比較する（図３ｃ）。線Ｌ１は、２つの同じ試料：Ｓ１ｉ＝Ｓ２ｉ、ｉ＝１、．．．、Ｎの、理想的な場合であり、線Ｌ２は、実際の試料の中央線であり、線Ｌ３は実際の対照の中央線である。正規化手順は、座標空間を角θ（Ｌ２，Ｌ３）で回転させるものとして理解され得る。従って、正規化の信頼性は、角θ（Ｌ１，Ｌ３）およびθ（Ｌ２，Ｌ３）によって評価され得る（図３ｄ）。角度が大きいほど、正規化の信頼性は低い。この場合、θ（Ｌ１，Ｌ３）＝−２９．３０゜、θ（Ｌ２，Ｌ３）＝−１４．５８°。望ましい正規化の例は、θ（Ｌ１，３）＝−０．９６゜、θ（Ｌ２，Ｌ３）＝２．１３゜に見られる。
【図４】
図４は、Ｅボックス結合関連遺伝子発現の評価のためのｃＤＮＡマイクロアレイハイブリダイゼーションを示す。マトリックス位置は、各遺伝子の略称と共に、同量が析出したドットの３つの繰り返しの各位置の下に記載されている。Ｘ軸は、数１、２、３、４および５の位置を示し、そしてＹ軸は「ａ」から「ｏ」位置を示す。各遺伝子トリプレットについてのマトリックス位置を、この後は、Ｘ、Ｙ軸で同定する。例えば、５ｋは、Ｎ−Ｍｙｃの位置を示し、そして３ｄはＭａｄの位置を示す。同じ座標が、表４にも含まれる。
【図５】
図５ａおよびｂは、Ｈｅｌａ細胞中でのＥボックス結合関連遺伝子発現の発現プロフィールを示す。図５ａ−総ＲＮＡを、遺伝子特異的プライマーとのＲＴ反応で、ジゴキシゲニンで標識した。図５ｂ−ｍＲＮＡを、オリゴ（ｄＴ）プライマーとのＲＴ反応で、ジゴキシゲニンで標識した。マトリックス内の矢印は：Ｉ−Ｈｅｌａ  ＤＮＡ（ポジティブコントロール）；ＩＩ−ラムダＤＮＡ（ネガティブコントロール）；ＩＩＩ−ＵＢＣ；ＩＶ−ＲＰＬ−１３Ａ；Ｖ−ＭＢＰ−１；ＶＩ−ＨＰＲＴ１の位置を示す。ドット間の距離は、１ｍｍの直線によって測定され得る。
【図６】
図６は、ｃＤＮＡマイクロアレイによる、５対のプライマーでの多重ＰＣＲの産物のハイブリダイゼーションを示す。マトリックス内の矢印は：Ｉ−Ｍｒｄｂ；ＩＩ−ｃ−Ｍｙｃ  ｐ６４；ＩＩＩ−ＴＦＩＩ−１；ＩＶ−ＯＤＣ１；Ｖ−ｃｄｃ２５Ａ；ＶＩ−ＨｅｌａゲノムＤＮＡを指す。
【図７】
図７は、Ｍｒｄｂ、ｃ−Ｍｙｃ，ＴＦＩＩ−１、ＯＤＣ１、およびｃｄｃ２５ａを含む、５つの遺伝子の濃度間の関係、ならびにハイブリダイゼーションシグナルの強度を示す。対数近似を示す。ドットの強度は、Ｙ軸上の任意の単位によって表される。濃度は、Ｘ軸上でｎｇ／ｍｌで測定される。
【図８】
図８ａおよび８ｂは、Ｈｅｌａ細胞（図８ａ）、および正常なヒトリンパ球（図８ｂ）中のＥボックス関連遺伝子の発現プロフィールを示す。マトリックス内の矢印は：Ｉ−アルドラーゼＣ；ＩＩ−Ｍａｄ４；ＩＩＩ−ＭＢ−１の位置を示す。
【図９ａ】
図９ａは、Ｈｅｌａ細胞およびヒトリンパ球中のＥボックス遺伝子発現の、２つ一組の比較を示す。２つの独立したハイブリダイゼーションを各タイプの細胞について平均した。図９ａは、遺伝子発現の違いの三次元表示、および図９ｂは二次元の表示である。各パネルは、図８ａの１つの列に対応し、そして各バーは、個別の遺伝子を示す。図９ｃは、相対比の値に依存して、共通の発現の増加または減少を有する遺伝子の分布である。試料Ｓ１とＳ２との間の相対倍率は
【数２５】
2004502129.tif 000034
として計算され、これは［−１，＋１］の範囲の値を与える。正の値は、試料Ｓ２中の遺伝子のアップレギュレーションに対応し、そして負の値はダウンレギュレーションに対応する。相対倍率は従来の倍率と同様の意味を有するが、ただし、この値は正規化されており、対称性であり、明確な物理的解釈がなされる。ＲＤＭ（Ｓ１，Ｓ２）＝±０．５は、２つの試料の正規化において、２倍のアップまたはダウンレギュレーションに対応し、比較的一定の発現レベルのハウスキーピング遺伝子の組が対称として選択され、そして線形正規化が適用される。
【図９ｂ】
図９ｂは、Ｈｅｌａ細胞およびヒトリンパ球中のＥボックス遺伝子発現の、２つ一組の比較を示す。２つの独立したハイブリダイゼーションを各タイプの細胞について平均した。図９ａは、遺伝子発現の違いの三次元表示、および図９ｂは二次元の表示である。各パネルは、図８ａの１つの列に対応し、そして各バーは、個別の遺伝子を示す。図９ｃは、相対比の値に依存して、共通の発現の増加または減少を有する遺伝子の分布である。試料Ｓ１とＳ２との間の相対倍率は
【数２６】
2004502129.tif 000035
として計算され、これは［−１，＋１］の範囲の値を与える。正の値は、試料Ｓ２中の遺伝子のアップレギュレーションに対応し、そして負の値はダウンレギュレーションに対応する。相対倍率は従来の倍率と同様の意味を有するが、ただし、この値は正規化されており、対称性であり、明確な物理的解釈がなされる。ＲＤＭ（Ｓ１，Ｓ２）＝±０．５は、２つの試料の正規化において、２倍のアップまたはダウンレギュレーションに対応し、比較的一定の発現レベルのハウスキーピング遺伝子の組が対称として選択され、そして線形正規化が適用される。
【図９ｃ】
図９ｃは、Ｈｅｌａ細胞およびヒトリンパ球中のＥボックス遺伝子発現の、２つ一組の比較を示す。２つの独立したハイブリダイゼーションを各タイプの細胞について平均した。図９ａは、遺伝子発現の違いの三次元表示、および図９ｂは二次元の表示である。各パネルは、図８ａの１つの列に対応し、そして各バーは、個別の遺伝子を示す。図９ｃは、相対比の値に依存して、共通の発現の増加または減少を有する遺伝子の分布である。試料Ｓ１とＳ２との間の相対倍率は
【数２７】
2004502129.tif 000036
として計算され、これは［−１，＋１］の範囲の値を与える。正の値は、試料Ｓ２中の遺伝子のアップレギュレーションに対応し、そして負の値はダウンレギュレーションに対応する。相対倍率は従来の倍率と同様の意味を有するが、ただし、この値は正規化されており、対称性であり、明確な物理的解釈がなされる。ＲＤＭ（Ｓ１，Ｓ２）＝±０．５は、２つの試料の正規化において、２倍のアップまたはダウンレギュレーションに対応し、比較的一定の発現レベルのハウスキーピング遺伝子の組が対称として選択され、そして線形正規化が適用される。


【誤訳訂正２】
【訂正対象書類名】図面
【訂正対象項目名】図１ｃ
【訂正方法】変更
【訂正の内容】
【図１ｃ】
2004502129.tif 000037
【誤訳訂正３】
【訂正対象書類名】図面
【訂正対象項目名】図１ｅ
【訂正方法】変更
【訂正の内容】
【図１ｅ】
2004502129.tif 000038
【誤訳訂正４】
【訂正対象書類名】図面
【訂正対象項目名】図３
【訂正方法】変更
【訂正の内容】
【図３】
2004502129.tif 000039
【誤訳訂正５】
【訂正対象書類名】図面
【訂正対象項目名】図４
【訂正方法】変更
【訂正の内容】
【図４】
2004502129.tif 000040
【誤訳訂正６】
【訂正対象書類名】図面
【訂正対象項目名】図７
【訂正方法】変更
【訂正の内容】
【図７】
2004502129.tif 000041
【誤訳訂正７】
【訂正対象書類名】図面
【訂正対象項目名】図９Ｂ
【訂正方法】変更
【訂正の内容】
【図９Ｂ】
2004502129.tif 000042
【誤訳訂正８】
【訂正対象書類名】図面
【訂正対象項目名】図９Ｃ
【訂正方法】変更
【訂正の内容】
【図９Ｃ】
2004502129.tif 000043